(57)【要約】  多成分口腔ケア組成物、及び該組成物を口腔に送出するための方法を含む口腔ケア処置が提供される。このような口腔ケア処置を実施するための口腔ケア器具及びシステムも提供される。
2010526638.tif 000002
【特許請求の範囲】
【請求項１】
表示装置と、ハンドル、ヘッド、排出口と流体連通している液体リザーバ及びポンプを有する歯ブラシと、を使用する口腔ケア方法であって、
前記歯ブラシの前記ヘッド上にパッケージから口腔ケア組成物を分配する工程と、
前記口腔ケア組成物を口腔に適用するために前記歯ブラシを使用する工程と、を含み、
前記表示装置が、前記歯ブラシの前記液体リザーバから前記排出口を介して液体を分配するための信号をユーザーに提供する、方法。
【請求項２】
前記信号が、聴覚信号、視覚信号、又は、それらの組み合わせである、請求項１に記載の方法。
【請求項３】
前記歯ブラシが、前記表示装置とデータ通信するデータ通信機を更に備える、請求項１に記載の方法。
【請求項４】
前記データ通信機がＩＣタグである、請求項３に記載の方法。
【請求項５】
前記口腔ケア組成物が、歯磨剤パッケージに貯蔵された歯磨剤である、請求項４に記載の方法。
【請求項６】
前記液体を液体パッケージから前記液体リザーバ内に分配する工程を更に含む、請求項５に記載の方法。
【請求項７】
前記歯磨剤パッケージ及び前記液体パッケージの各々が、データ通信機を更に備える、請求項６に記載の方法。
【請求項８】
前記歯磨剤パッケージ及び前記液体パッケージの前記データ通信機がＩＣタグである、請求項７に記載の方法。
【請求項９】
前記歯ブラシ、前記歯磨剤パッケージ及び洗浄剤パッケージを、前記データ通信機が前記表示装置と通信することができるように、前記表示装置の近傍に置く工程を更に含む、請求項８に記載の方法。
【請求項１０】
前記ポンプが前記液体リザーバを加圧する、請求項１に記載の方法。
【請求項１１】
前記ポンプが、前記液体を前記液体リザーバから前記排出口までポンピングする、請求項１に記載の方法。
【請求項１２】
前記表示装置が、前記歯磨剤を前記口腔内で使用する時間間隔を表示する、請求項１に記載の方法。
【請求項１３】
前記歯磨剤を前記口腔内で使用する前記時間間隔が約１分〜約３分である、請求項１２に記載の方法。
【請求項１４】
前記表示装置が、前記液体を前記口腔内で使用する時間間隔を表示する、請求項１３に記載の方法。
【請求項１５】
前記液体を前記口腔内で使用する前記時間間隔が約２０秒〜約２分である、請求項１４に記載の方法。
【請求項１６】
表示装置と、歯ブラシと、第１の組成物を有する第１の区画及び第２の組成物を有する第２の区画を備えるパッケージと、を使用する口腔ケア方法であって、
前記歯ブラシのヘッド上に前記パッケージから前記第１の組成物を分配する工程と、
前記第１の組成物を口腔に適用するために前記歯ブラシを使用する工程と、
前記第２の組成物を前記口腔に適用するために前記歯ブラシを使用する工程と、を含み、
前記表示装置が、前記パッケージから前記歯ブラシの前記ヘッド上に前記第２の組成物を分配するための信号をユーザーに提供する、方法。
【請求項１７】
前記信号が、聴覚信号、視覚信号、又は、それらの組み合わせである、請求項１６に記載の方法。
【請求項１８】
前記歯ブラシが、前記表示装置とデータ通信するデータ通信機を更に備える、請求項１６に記載の方法。
【請求項１９】
前記データ通信機がＩＣタグである、請求項１８に記載の方法。
【請求項２０】
前記パッケージがデータ通信機を備える、請求項１９に記載の方法。
【請求項２１】
前記パッケージの前記データ通信機がＩＣタグである、請求項２０に記載の方法。
【請求項２２】
前記歯ブラシ及び前記パッケージを、前記データ通信機が前記表示装置と通信することができるように、前記表示装置の近傍に置く工程を更に含む、請求項２１に記載の方法。
【請求項２３】
前記表示装置が、前記第１の組成物を前記口腔内で使用する時間間隔を表示する、請求項１６に記載の方法。
【請求項２４】
前記第１の組成物を前記口腔内で使用する前記時間間隔が約３０秒〜約３分である、請求項２３に記載の方法。
【請求項２５】
前記表示装置が、前記第２の組成物を前記口腔内で使用する時間間隔を表示する、請求項２３に記載の方法。
【請求項２６】
前記第２の組成物を前記口腔内で使用する前記時間間隔が約３０秒〜約２分である、請求項２５に記載の方法。
【請求項２７】
前記第２の組成物を使用する前記時間間隔が、前記第１の組成物を使用する時間間隔の後に表示される、請求項２５に記載の方法。
【請求項２８】
データ通信機を有する歯磨剤パッケージと、
データ通信機を有する液体パッケージと、
液体リザーバ及びデータ通信機を有する歯ブラシと、
前記データ通信機とデータ通信することができる表示装置と、を備える、キット。
【発明の詳細な説明】
【技術分野】
【０００１】
本発明は、口腔ケア用の組成物、方法、器具、及びシステムに関する。
【背景技術】
【０００２】
２つ以上の口腔ケア組成物を用いることは既知であるが、１つ以上の組成物を口腔に送出するための改善された製品及び方法を提供するという要望が存在している。
【発明の概要】
【課題を解決するための手段】
【０００３】
概して、本発明は、多成分口腔ケア組成物、口腔ケア方法（複数の構成成分を口腔に送出するための手順など）、並びに口腔ケア器具、口腔ケアキット、及び口腔ケアシステムを含む、口腔ケア処置を特徴とする。
【図面の簡単な説明】
【０００４】
【図１】口腔ケアシステムの一実施形態の側面斜視図。
【図２Ａ】口腔ケア用具の一実施形態の前面斜視図。
【図２Ｂ】図２Ａの口腔ケア用具の背面斜視図。
【図３Ａ】図２Ａの口腔ケア用具の透視正面図。
【図３Ｂ】図２Ａの口腔ケア用具の透視背面図。
【図４Ａ】それぞれ、首部が透視状態で示される、口腔ケア器具の別の実施形態のヘッド及び首部の背面図及び正面図。
【図４Ｂ】それぞれ、首部が透視状態で示される、口腔ケア器具の別の実施形態のヘッド及び首部の背面図及び正面図。
【図５】首部が透視状態で示される、口腔ケア器具の別の実施形態のヘッド及び首部の背面図。
【図６】ブラシの２つの実施形態の前面斜視図。
【図７】ブラシの２つの実施形態の前面斜視図。
【図８Ａ】ドッキングステーションの一実施形態の側面斜視図。
【図８Ｂ】図８Ａのドッキングステーションの透視側面斜視図。
【図９】ドッキングステーションの一実施形態。
【図１０】ドッキングステーションの別の実施形態。
【図１１】口腔ケアシステムの一実施形態の斜視図。
【図１２】図１１に示されるドッキングステーションのベース部分Ｂの斜視図。
【図１３】本発明とともに用いるのに適した２区画型ディスペンサーの断面図。
【図１４】本発明とともに用いるのに適した２つのディスペンサーの断面図。
【図１５】本発明とともに用いるのに適した分配型歯ブラシの正面図。
【図１６】本発明による口腔ケアシステムの概略図。
【図１７】本発明とともに用いるのに適した電気的構成要素の概略図。
【発明を実施するための形態】
【０００５】
以下の本文は、本発明の多数の異なる実施形態の大まかな説明を記載している。この説明は単なる例示として解釈するものとし、あらゆる可能な実施形態を説明するのは不可能ではないとしても非現実的であるため、以下の説明は、あらゆる可能な実施形態を説明するものではなく、本明細書に記載されている機構、特徴、構成成分、組成物、成分、用量、製品、工程、若しくは方法論のいずれも、削除したり、本明細書に記載されている他のいずれかの機構、特徴、構成成分、組成物、成分、製品、工程、若しくは方法論と組み合わせるか、又は全体的若しくは部分的にこれらに置き換えたりできることが理解されるであろう。最新の技術又は本特許の出願日以降に開発された技術のいずれかを使用して、非常に多くの代替実施形態を実施することができるが、このような実施形態はやはり、本請求項の範囲内に含まれることになる。本明細書内で引用する出版物及び特許はすべて、本明細書に参照により組み込まれる。
【０００６】
また、本特許内で、「本明細書で使用するとき、用語「＿＿＿＿＿＿」は本明細書によって．．．を意味するものとして定義される」という文章又はこれと類似の文章を使用して、用語が明示的に定義されていない限り、明示的か暗示的かに関わらず、その用語の明白な又は一般的な意味を超越して、その用語の意味を限定するものではないことが理解されるべきであり、そのような用語は、本特許のいずれかの部分に記載されているいずれかの記述（請求項の文言は除く）に基づいて範囲が限定されるものと解釈されるべきでない。いずれの用語も、本発明に不可欠なものとして記載されていない限りは、本発明に不可欠なものではないものとする。本特許の最後にある請求項に記載されている任意の用語が、ある単一の意味と一致した形で本特許内で言及されている限りにおいては、読み手を混乱させないように、単に明瞭にする目的のみであって、暗示又はその他の方法によって、請求項の当該用語をその単一の意味に限定するものではない。最後に、「手段」という語及びいかなる構造の詳述もなしにある１つの機能を記載することによって請求要素を定義している場合を除き、いかなる請求要素の範囲も、米国特許法第１１２条６項の適用に基づいて解釈されないものとする。
【０００７】
概して、２つ以上の口腔ケア組成物、組成物の一部、物質、製剤、又は成分（以降これらを総称して「構成成分」という）を口腔に送出することを伴う口腔ケア処置について以下で論じていく。特に、送出前には互いから機械的に分離されている２つの構成成分について、以下で論じていく。構成成分は、手動歯ブラシ、電動歯ブラシ、パッケージ、又はディスペンサーなどの様々な口腔ケア器具から送出され得る。構成成分は同時又は順次に送出することができる。一部のケースでは、２つの構成成分は、互いに混合されると、送出中に若しくは口腔内で反応するか、又はその他の形で相互作用して、口腔ケア組成物、例えば米国特許第６，３７５，９３３号及び後掲の「口腔ケア組成物及び構成成分」の項に記載されている２成分歯磨剤を形成する。別のケースでは、構成成分自体が完全な口腔ケア組成物であり、例えば、構成成分は歯磨剤又はうがい薬であり得る。本明細書ではまず、実行することのできる様々な口腔ケア処置について論じていく。次に、構成成分を送出するのに適した器具の例について論じる。最後に、送出することができる様々な構成成分の例について論じる。構成成分は、所望の送出器具によって送出され得るあらゆる形状、例えばニュートン流体、非ニュートン流体、液体、ペースト、又はゲルであり得る。
【０００８】
使用方法
以下の論考では、機械的に分離されている２つの構成成分の送出について言及していく。ただし、論じられている方法は、３つ以上の構成成分に拡大適用できることが明白であろう。以下に説明する方法は、例えば、マイクロプロセッサコントローラを有する分配器具を用いて実行してもよい。歯ブラシでは、静止式又は可動式ヘッド（若しくはヘッドの可動部分）を用いてもよい。例えば、米国特許出願第０９／９９３，１６７号、同第１０／０３６，６１３号、同第１０／１１４，８７０号、同第１０／１２８，０１８号、同第１０／２０８，２１３号、同第１０／８３０，６９３号、米国特許第５，３７８，１５３号に記載されているような、回転、揺動（oscillate）、往復運動、並進運動、振動などの運動をするヘッド（又は刷毛若しくは要素を含むヘッドの部分）を有する好適な歯ブラシ。米国特許出願第１０／８３２，１６８号、同第１０／８４７，４２９号、同第１０／８４２，３０２号、同第１０／８８７，６４４号、同第１０／８８７，６６７号、同第１０／８８８，２０６号に記載されているような、光（青色光を含む）を放射する歯ブラシを含む、発光ダイオードを有する追加の歯ブラシが使用されてもよい。好適な歯ブラシは、刷毛又は洗浄要素を備えても備えていなくてもよい。別の実施形態では、以下で更に論じるように、本発明とともに多区画型パッケージなどのディスペンサーを使用することができる。好適な器具の例については、後掲の「口腔ケア器具」の項で詳細に論じる。
【０００９】
構成成分は、口腔に同時又は順次に送出することができる。順次に送出するケースでは、両方の構成成分が、単一の口腔ケア工程中、例えば、単一のブラッシング工程中、若しくはその他の単一の処置工程中（開始から終了まで、特定のユーザーによる単一の使用中、典型的には約０．１〜５分）に送出されてもよく、又はその代わりに、複数の口腔ケア工程にわたって個別に構成成分が送出されてもよい。例えば、第１の口腔ケア工程中に両方の構成成分が送出され、第２の口腔ケア工程中に構成成分の一方のみが送出されるといった数多くの組み合わせが可能である。以下では、可能な送出順序及びレジメンの例について論じる。
【００１０】
同時送出
最も単純なケースは、単一の口腔ケア工程中に、同時かつ連続的に２つの構成成分を同量、又は構成成分を一定の比率で送出するものである。場合によっては、例えば、構成成分の１つが洗浄剤（リンス剤）などの液体であるとき、比率は約１：２０〜約２０：１であり得る。本発明のレジメンは、例えば、互いに反応しないが製剤的には不相溶である２つの構成成分を送出することが望ましいときに好適であり得る。例えば、活性であるために異なるｐＨレベルが必要な２つの構成成分（ピロリン酸第１スズ（低いｐＨで活性）とフッ化ナトリウム（高いｐＨで活性）など）を送出するのが望ましいことがある。この２つの構成成分は、ｐＨレベルの異なる結合剤系とともに別個に提供され、次に口腔に同時に送出されてもよい。ブラッシング持続時間は、構成成分が不活性化しないように十分に短くする。同時かつ連続的な送出の別の利用対象は、比較的ゆっくり反応し、ブラッシング後に口腔内に留まって歯及び又は歯肉に吸収される、２つの構成成分を含む系である。
【００１１】
あるいは、送出は同時及び連続的にすることができ、ただし２つの構成成分の比率はブラッシング中に変動させることができる。一部のケースでは、最初に、第１の構成成分の比較的大きな塊をより少量の第２の構成成分とともに送出し（例えば、８０：２０の比率、又は約１：２０〜約２０：１）、次に、ブラッシング中、例えば比率が逆転するまで（例えば、２０：８０の比率）、第１の構成成分の量を減少させるとともに第２の構成成分の量を増加させるのが望ましいことがある。相対量の変化は、線形的であることができ、又は非線形的であることができ、例えば、ブラッシングを開始するのに十分な多量の練り歯磨きを少量のうがい薬とともに、続いてそのほぼ直後に大幅に量を低減したペーストと増量されたうがい薬とを有する。最初は滑らかで、極度に清潔／爽快な口内感触へと移行するブラッシング体験をユーザーに提供できるように、構成成分とその比率を選択することもできる。
【００１２】
それに加えて、２つの構成成分は、単一の口腔ケア工程の異なる期間中に（例えば１２０秒の口腔ケア工程の１〜５秒及び６０〜６５秒の間に）同時に送出されてよく、又は異なる工程中に（例えば１工程おきに）２つの構成成分が同時に送出されてもよい。
【００１３】
単一の口腔ケア工程中の順次送出
単一の口腔ケア工程中の順次送出は、様々な形を取ることができる。１つのケースでは、２つの構成成分は、ブラッシング中の数回の比較的長い持続時間サイクルで（ＡＢＡＢ）、又は連射式で多数回交互に（ＡＢＡＢＡＢＡＢＡＢ．．．．ＡＢ）のどちらかで交互に送出される。このタイプの送出によく順応する処置の例は再石灰化であり、過酸化物及び過酸化物の活性剤を用いる処置である。好ましいサイクル時間は、用いる化学物質によって決まり、所与の化学反応に合わせて最適化されてもよい。例えば、過酸化物と活性剤のケースでは、過酸化物と活性剤が反応できるように、サイクル時間は比較的長く、例えば１５秒であってもよい。別の化学物質、例えば本明細書で論じられているもののような再石灰化系（後掲の「組成物」の項を参照）を、より短い、例えば５秒以下のサイクル時間で用いてもよい。
【００１４】
別のケースでは、単一の口腔ケア工程中に２つ以上の構成成分が順に送出され、その口腔ケア工程の中では続いて交互送出は行わない（Ａの次にＢが続く）。例えば、最初に歯磨剤が送出されてブラッシングを開始し、洗浄を行ってから、口内洗浄剤、フッ化物トリートメント、又は一時的なシーラントが送出される。別の選択肢としては、過酸化物に続いて活性剤若しくは歯磨剤が送出されてフッ素化を高めるもの、銅歯磨剤の次に亜塩素酸塩が続くもの、抗歯肉炎処置の次に抗炎症処置が続くもの、又は香味の異なる一対の構成成分によってユーザーに知覚的な合図を提供するものが挙げられる。香味の変化によって、例えば、ユーザーはもっと長時間ブラッシングするべきか、ブラッシングを終了してもよいか、又は、ユーザーはブラッシングモードを、例えばブラッシング速度が更に早い又は遅いモードに変更する必要があるかを示すことが可能である。
【００１５】
複数の口腔ケア工程中の順次送出
別の順次処置レジメンは、複数の口腔ケア工程を伴う。一部の実施態様では、送出器具は時計機能を含み、所定の時刻又は一連の時刻に所定の処置を遂行するようにプログラムされている。時刻によって、異なる構成成分が、異なる比率で、又は異なる構成成分順序で送出されてもよい。例えば、朝にはある１つの構成成分を送出し、夜には第２の異なる構成成分を送出してもよい（例えば２つの異なる歯磨剤、又はうがい薬と歯磨剤）。別の例として、朝には２つの構成成分を、例えば歯磨剤とうがい薬を送出し、夜は歯磨剤のみを送出してもよい。この時計ベースのアプローチによって、ユーザーは、２つの異なる知覚経験をするか、２つの異なる活性成分を得るか、又は１日２回ブラッシングする中で１日に１度だけ（朝又は夜のみに）活性成分を得ることができる。
【００１６】
同様に、一部の処置レジメンは、規定された処置手順に従って、例えば朝若しくは夜のみに、１日おきに（朝及び／又は夜）、又は週に１度（朝及び／又は夜）、専門的な処置剤、例えば処方薬を送出することを伴ってもよい。送出器具は、ブラッシング中、所望の時刻に正確な用量を送出するようにプログラムすることができる。練り歯磨きは別の時刻に送出されてもよく、所望に応じて、専門的な処置剤と同時に送出されてもよい。専門的な処置剤は、処方された練り歯磨きであってもよく、処方された練り歯磨きを処方どおりに使用する合間に、標準的な店頭販売の練り歯磨きを分配してもよい。
【００１７】
複数の口腔ケア工程にわたって有用である別のアプローチは「計数」機能であり、このアプローチによって、送出器具は、ｘ回の口腔ケア工程ごとに、構成成分のうちの１つが送出されるようにプログラムされる。例えば、複数のユーザーが同じ歯ブラシハンドルを利用する場合、送出器具は、特定のユーザーの交換式歯ブラシヘッドを例えばＲＦＩＤによって認識し、そのユーザーの工程のみを計数するようにプログラムされてもよい。
【００１８】
一部のケースでは、時計機能と、複数の口腔ケア工程にわたってデータを蓄積する体積監視機能の両方を含んで、所与の期間内に構成成分の一方又は両方の所定の体積のみ（例えば、２４時間の期間にわたってｘグラム未満の構成成分Ａ）が送出されるように、送出器具をプログラムするのが望ましいことがある。また、体積監視機能を使用して、単一の口腔ケア工程にわたって正確な用量の構成成分を計量するようにしてもよい。例えば、構成成分が通常用量を上回ると毒性又はその他の安全上の問題が発生するとき、体積監視を行うのが望ましい。例えば、小児に対するフッ化物処置のケースでは、フッ素中毒のリスクの理由から、小児が過剰なフッ化物を受けないようにするのが重要である。送出する用量は、いずれかの好適な方法によって、例えば、器具を正確に較正してからポンピングサイクルの数に基づいて用量を間接的に計算することによって測定することができる。一部のケースでは、送出器具を使用して、特定の活性物質の用量を的確に制御する一方で、標準的な歯磨剤などの第２の組成物を必要に応じて送出してもよい。
【００１９】
送出器具は、ブラッシング時間及び／又は分配された各構成成分の量に関するデータを蓄積して、例えば、ユーザーが規定された処置手順を順守しているかを、ユーザー及び／又はユーザーの歯科医若しくは他の臨床医が追跡記録できるようにプログラムされてもよい。この情報は、送出器具のＬＣＤディスプレイ上に表示することができる。
【００２０】
送出器具（例えば電動歯ブラシ）が複数のユーザーによって使用されるとき、各ユーザーが自分の口腔ケア工程中に使用したい構成成分を選択できるように、器具をプログラムすることができる。例えば、ユーザーによって、異なる香味の練り歯磨きを好むことがあり、又はホワイトニングに対して感度減少など、特有の性能属性を備えた練り歯磨きを求めることがある。
【００２１】
歯ブラシのケースでは、異なる歯ブラシヘッドに２つの構成成分が送出されるように構成されてもよい。第１のヘッド（例えば、標準的な電動歯ブラシヘッド）が定位置にあるとき、第１の構成成分、例えば歯磨剤が送出され、第２のヘッド（例えばピック、タンスクレーパー（tongue scrape）、又は、歯肉ブラシなど）が定位置にあるとき、別の構成成分、例えば口内洗浄剤が送出される。歯ブラシ（toothbrushe）は、例えば、ＲＦＩＤ識別によって、又はピン設定などの機械的手段によって、異なるヘッドを自動的に認識するように構成されてもよい。様々なヘッドのＲＦＩＤ識別機能を有する口腔ケア器具が、公開済み米国特許出願第２００２／０１２９４５４号に記載されており、その全開示を参照により本明細書に組み込む。
【００２２】
送出パラメータ
本明細書で論じられている処置レジメンのいずれかによる送出は、断続的なもの、すなわちその間は送出が行われない中断期間を伴うものであってもよい。「連続的な」送出でさえも、送出器具のポンピング機構が脈動する形で動作してもよいという意味では、断続的であってもよいことに留意されたい。ただし、送出器具を適宜プログラムすることによって、処置レジメンに追加の中断期間及び／又は更に長時間の中断期間を含めてもよい。
【００２３】
いずれかの送出器具から、約０．２、０．４、０．６、０．８、１、１．２、１．５、１．８、２、４、６、８、１０、１５、３０、６０、９０、又は１２０秒間にわたって、第１の構成成分が約０．０５、０．１、０．１５、０．２、０．２５、０．３、０．４、０．５、０．６、０．７、０．８、０．９、１、１．２、１．４、１．５、１．６、１．８、若しくは２グラム（又は約０．０５、０．１、０．１５、０．２、０．２５、０．３、０．４、０．５、０．６、０．７、０．８、０．９、１、１．２、１．４、１．５、１．６、１．８、２、５、７、１０、１２、１５、２０、２５、若しくは３０ｍＬ）送出されてもよく、並びに、約０．２、０．４、０．６、０．８、１、１．２、１．５、１．８、２、４、６、８、１０、１５、３０、６０、９０、１２０、１８０、２４０、又は３００秒間にわたって、第２の構成成分が約０．０５、０．１、０．１５、０．２、０．２５、０．３、０．４、０．５、０．６、０．７、０．８、０．９、１、１．２、１．４、１．５、１．６、１．８、若しくは２グラム（又は約０．０５、０．１、０．１５、０．２、０．２５、０．３、０．４、０．５、０．６、０．７、０．８、０．９、１、１．２、１．４、１．５、１．６、１．８、２、５、７、１０、１２、１５、２０、２５、若しくは３０ｍＬ）送出されてもよい。手動でポンピングされる送出器具（例えば、図１３に示される２区画型ディスペンサー）の場合、第１及び／又は第２の構成成分は、ポンプの約１、２、３、４、若しくは１０回以上の作動によって分配されてもよい。また、約９０／１０、８０／２０、７０／３０、６０／４０、５０／５０、４０／６０、３０／７０、２０／８０、又は１０／９０（第１の構成成分／第２の構成成分）という比率で第１及び第２の構成成分が分配されてもよい。他の比率は約１：２０〜約２０：１であり得る。
【００２４】
上で論じたように、第１及び第２の構成成分が同時又は順次に送出されてもよい（それによって、第２の構成成分が、第１の構成成分の約０．２、０．４、０．６、０．８、１、１．２、１．５、１．８、２、４、６、８、１０、１５、２０、２５、３０、３５、４０、４５、５０、５５、６０、７５、９０、１０５、又は１２０秒後に分配されてもよい）。また、第１のブラッシング工程の次の第２のブラッシング工程中に第２の構成成分が分配されてもよく、その際には、第１のブラッシング工程の終了時から第２のブラッシング工程の開始時までは少なくとも約４、６、８、１０、又は、１２時間あける。また、第２の構成成分は、同じ口腔ケアレジメンの間、ただし第１の構成成分の使用と第２の構成成分の使用との間の時間間隔が経過した後に分配することができる。例えば、歯磨剤（第１の構成成分）が２分間使用されてもよく、歯磨剤の使用を完了した後、洗浄剤（第２の構成成分）が数秒間又は数分間適用されてもよい。
【００２５】
ブラッシング工程中、上記の重量、体積、及び時間の様な組み合わせを含む複数の順序があってもよい。この順序は同時又は順次的であってもよく、上記の中断期間を含んでもよい。例えば、２分間のブラッシング工程内で、第１の順序は、ある体積の第１の構成成分とある体積の第２の構成成分との同時分配を含んでもよく、続いて、第２の順序は、ある体積の第１の構成成分の分配を含み、次に分配を行わない期間が生じてもよく、続いて、第３の順序は、ある体積の第２の構成成分の分配を含み、次に分配を行わない期間が生じてもよく、続いて、第４の順序は、ある体積の第１の構成成分の分配を含んでもよい。
【００２６】
送出器具
手動歯ブラシ、電動歯ブラシ、並びに他の様々なパッケージ（例えば、ハンドポンプなど）及び器具など、多種多様な口腔ケア器具を使用して、本発明の構成成分を分配することができる。最初に、２つの構成成分を同時に送出できる口腔ケア器具について論じていく。
【００２７】
図１を参照すると、口腔ケアシステム１０の一実施形態が示され、これは、口腔ケア器具１２、この場合では歯ブラシと、口腔ケア器具１２を直立姿勢でドッキングステーションの受入れ部分内に保持するドッキングステーション１４とを包含する。口腔ケア器具１２は、モータ付きヘッドを有する電動歯ブラシであり、ブラッシングサイクル中に２つの構成成分（歯磨剤とうがい薬など）を放出する設計になっている。ドッキングステーション１４は、口腔ケア器具内にある電池を再充電し、かつ口腔ケア器具に構成成分を再充填する設計になっている。
【００２８】
図２Ａ及び２Ｂを参照すると、口腔ケア器具１２は、３つの相互接続された区画１５２、１５４、及び１５６からなる分離可能なハウジング１６を含む。組み立てられたとき、口腔ケア器具１２は、ヘッド２０が配置される遠位部分１８と、ハンドル２４が配置される近位部分２２とを含む。ハンドル２４とヘッド２０を接続しているのは首部２６である。ヘッド２０は、ブラッシングのためにユーザーの口の中に適応するようにサイズ決めされており、ハンドル２４は、ユーザーが把持可能であり、使用中のヘッド２０の操作を容易にする。
【００２９】
口腔ケア器具１２の背面図を示す図２Ｂを参照すると、口腔ケア器具の近位部分２２にある末端面３０の近傍に吸入口２８が位置付けられている。吸入口２８は、口腔ケア器具を再充填するための、ドッキングステーション１４に位置する対応する排出口２８０（図８Ａ）と噛み合うことができる。
【００３０】
次に図３Ａ及び３Ｂを参照すると、口腔ケア器具１２の内部構成要素が示されている。口腔ケア器具１２はモータ３４及び３６を含む。モータ３４は、一対の構成成分を、それぞれの通路（その一方の通路４０のみが図３Ａ及び３Ｂに示される）に沿って口腔ケア器具１２の遠位部分１８に向かって移動させる、ポンピングアセンブリ３８を駆動する。ポンピングアセンブリ３８は、その全開示を参照により本明細書に組み込む米国特許出願第１０／８６１，２５３号に記載されているように、圧縮要素を用いてチューブ５１４及び５１６（図４Ａ）の一部分を圧縮することによって、各構成成分をそれぞれの通路を介して移動させてもよい。米国特許出願第１０／８６１，２５３号に記載されているポンプアセンブリと同様に、一連のフィンガーを使用してチューブを徐々に圧縮する場合、フィンガーは、２つのチューブの幅方向に延びてチューブを同時に圧縮できるような寸法にされる。
【００３１】
モータ３６は駆動シャフト４２を駆動し、これが次にヘッド２０を移動（例えば、回転）させる。モータ３４、３６、及び３７に電力を供給するため、充電式電池４４がモータに電気的に連結される。好適な充電式電池として、サンヨー（Sanyo）から入手可能なリチウムイオンＵＲ  １４５００Ｐがある。
【００３２】
図４Ａ及び図４Ｂを参照すると、口腔ケア器具は、口腔ケア器具内の２つの流体流を導く一対のチューブ５１４及び５１６を含む。図示されるように、チューブ５１４及び５１６の各々は、可動式ヘッド２０の回転軸５１８に垂直な長手方向軸線５３１からずれた位置でヘッドに接続される。いくつかの実施形態では、チューブの一方は回転軸の位置でヘッドに接続され、他方は回転軸からずれた位置で接続されてもよい。図５を参照すると、ポンピングアセンブリの下流側、並びにヘッドにある流体排出口の上流側で、チューブ５５０及び５５２が互いに流体接続されている変形例が示されている。この実施形態は、ブラッシング表面に送出される直前の時点で通路内で構成成分を混合するのが望ましい場合に有利なことがある。
【００３３】
図３Ａ〜３Ｂでは、これらの図の尺度を明瞭にするために、１つの通路４０のみを図示する点を指摘しておく。一般に、口腔ケア器具１２は、上記のとおり、２つの通路（例えば、図４Ａ及び４Ｂのチューブ５１４及び５１６）を含む。ただし、例えば２つの構成成分が貯蔵された別個のチャンバに近いヘッドの上流側で２つの構成成分を混合できる一部のケースでは、単一の通路を使用してもよい。
【００３４】
再び図３Ａを参照すると、口腔ケア器具１２は、モータ３４及び３６に電気的に接続され、これらのモータの動作を全体的に管理する制御回路又はコントローラ４００を含む。ユーザーインターフェース４０２がコントローラ４００との外部相互作用をもたらす。ユーザーインターフェース４０２は、オンオフボタン４０４及び４０６と流体レベルスイッチ４０８とを含み、その全てが、ハウジング１６の外部からアクセス可能である（図２Ａを参照）。
【００３５】
コントローラは所望のようにプログラムすることができるが、一例として、コントローラは、ボタン４０４を押し下げることによってモータ３４及び３６が始動し、ボタン４０６を押し下げることによって、モータ３６など、モータの１つのみが始動するように設計される。ボタン４０４又は４０５を押し下げることによって、ヘッドの動き及び流体流の両方を開始することができ、ボタン４０４は一方の流れを作動させ、ボタン４０５は他方の流れを作動させる。ボタン４０６を押し下げることによって、流体流及びヘッドの動きの一方のみを始動させることができる。ボタン４０４又は４０６を押し下げることによって、関連するモータ（１つ若しくは複数）を始動に引き続いて停止させることもできる。ボタン４０６によってモータ３６のみを始動及び停止させるケースでは、ユーザーは、例えば、どちらの構成成分も送出させずにブラッシングを行うことができ、ヘッドを回転させながら口腔ケア器具１２をすすぐことができる。流体レベルスイッチ４０８、４０９によって、ユーザーは、予め選択された流体送出速度（高速、中速、及び低速など）の中から選択できる。３つのＬＥＤ  ４１０は、選択的に点灯して、選択された流体送出レベルを示すことができる。代替又は追加として、ＬＣＤディスプレイが含まれて、流体送出レベルを伝えることができ、及び／又は口腔ケア器具１２内の流体のレベル及び／又は電池の充電状況などの他の情報を表示するために使用できる。
【００３６】
コントローラ４００はまた、モータ３４の始動に続いて、ペーストの送出レベルを調節するようにプログラムされてもよい。いくつかの実施形態では、コントローラは、モータ３４が始動された直後に、比較的多量の２つの構成成分が送出されて、例えば、ブラッシングを開始するのに十分な量のペーストを有し、次に、例えば、ブラッシングサイクルの残りの部分全体にわたってより少ない送出レベルまで送出レベルが減少されるようにプログラムされる。ペーストの送出レベルは、例えば、流体の断続的な連射によって、及び／又はより低速の流体送出によって減少されてもよい。一例として、コントローラは、低、中、高の３つの送出設定を提供するようにプログラムされてもよい。一実施形態では、低送出設定において、コントローラは、モータ３４を約７秒間活性化することによって塊を送出するようにプログラムされる。約７秒後、コントローラは、モータ３４を約０．７５秒間断続的に活性化し、モータ３４を約２．４秒間非活性化する（すなわち、これらの間隔でモータをオンオフのサイクルで動作させる）。同じ実施形態で、中送出設定において、コントローラは、モータ３４を約７秒間活性化することによって塊を放出し、次にモータを約０．７５秒間オン及び約１．６３秒間オフのサイクルで動作させるようにプログラムされる。高送出設定においては、コントローラは、モータ３４を約７秒間活性化することによって塊を送出し、次にモータを約０．７５秒間オン及び約１．２秒間オフのサイクルで動作させるようにプログラムされる。コントローラ４００の所望のプログラミングに応じて、より多い又はより少ないユーザーインターフェースの制御を使用して、様々な機能を開始することができる。
【００３７】
再び図３Ａを参照すると、モータ３６は、旋回駆動軸４２を動かし（例えば、線形的に並進させ）、それが次に、回転式ヘッド２０を動かす（例えば、回転的に揺動させる）。駆動軸４２は、流体通路の一部分をハウジング１６の首部２６内に形成する、ヘッド２０及びチューブ８２（又は、材料の２つの流れが別個に保たれる場合、一対のチューブ）における流体排出口の配置を容易にするオフセット設計を使用して、回転式ヘッド２０に接続される。このオフセット設計は、米国特許出願第１０／８６１，２５３号に更に詳細に記載されている。回転式ヘッド２０の動きは、部分的には、モータ３６の回転出力を、駆動軸４２を前後に駆動させるのに使用される線形動作に変換する、カム及びフォロワのシステムを使用することによって達成されてもよい。このような構成は、上記で参照により組み込んだ米国特許出願第１０／８６１，２５３号に記載されている。
【００３８】
次に図６及び７を参照すると、ヘッド２０は、開口部１２４を有する基部１３６を含み、その開口部１２４を通して、バルブ１２２が、例えば図示されているようなダックビルバルブが外向きに延びている。いくつかの実施形態では、チューブ８２の遠位端は、そこに取り付けられるバルブを使用することなく流体排出口を形成する。２つの流れがヘッドから出るまで２つの流れを別個に保つことが望ましい場合、２つのバルブ、又は全開示を参照により本明細書に組み込む２００５年４月２６日出願の米国特許出願第１１／１１４，９８７号に記載されているもののようなデュアルダックビルバルブが使用されてもよい。基部１３６から、刷毛タフト１３８の配列が延びている。各タフト１３８は、図においてはぎっしり詰まった塊として示されているが、タフトの各々は実際には多量の個々のプラスチック毛の集積で作り上げられる。ブラシヘッドの更に詳細な説明について、出願者らは、２００３年９月９日出願の係属中の米国特許出願番号１０／６６６，４９７を引用するものであり、その開示の全体を参照により本明細書に組み込む。
【００３９】
口腔ケア器具１２は、使用されていないとき、ドッキングステーション１４に連結することができる。ドッキングステーション１４は、電気コンセント（図示なし）又は他の好適な電源に接続することができる。図８Ａ及び８Ｂを参照すると、ドッキングステーション１４は、受入れ部分２７３の中に口腔ケア器具１２を直立姿勢で保持するように形成されている。受入れ部分２７３は、ハウジング２９１内に形成された垂直の窪み２９５とハウジング延長部２９７との間を延びる床部２７５を含む。窪み２９５は、口腔ケア器具１２の一部分を受け入れるような輪郭にされている。ドッキングステーション１４は、反応性デバイス、例えばセンサ（図示なし）を含み、これは、口腔ケア器具がドッキングステーションに受け入れられると入力を検出し、この入力に応答して信号をコントローラに送信するものであり、その詳細は以下で更に詳細に説明される。
【００４０】
次に図８Ｂ及び９を参照すると、ドッキングステーション１４は、多チャンバ流体リザーバ２７４を含み、そのうち２つのチャンバは、チューブ２７６を用いて排出口２８０に連結される。いくつかの実施形態では、例えば図９に示されるように、流体リザーバ２７４は、ドッキングステーション１４の分離可能かつ交換可能な部分３０１の一体部分として形成される。他の実施形態では、流体リザーバからの交換可能な２つの小袋３０３（その１つのみが図１０に示される）が図１０によって示される。このケースでは、ドッキングステーションの上部３０１は取り外し可能で、消費者は、小袋３０３の中身を使い果たすか、又はユーザーが違う製品を使いたいと思うときに、小袋３０３を簡単に取り外し、代わりの小袋を挿入することができる。図８Ｂを参照すると、構成成分を流体リザーバから口腔ケア器具まで移動させるため、ドッキングステーションはポンプアセンブリ２８２を含む。ドッキングステーション内の再充填機構の詳細が、米国特許出願第１０／８６１，２５３号に提供されている。
【００４１】
再び図８Ｂを参照すると、一対の導線３３６、３３８がドッキングステーション１４の受入れ部分２７３内で露出している。導線３３６、３３８は、口腔ケア器具１２が受入れ部分１７３の中に置かれたとき、口腔ケア器具１２上の一対の接点３４０、３４２（図２Ａ）に接触するように位置付けられる。この接触により、口腔ケア器具１２とドッキングステーション１４が電気的に連結され、その結果、ドッキングステーションに接続されている電源が、口腔ケア器具内の充電式電池を充電することができる。接点３４０、３４２は、充電式電池に電気的に接続されており、電力をドッキングステーションから電池へ流すことができる。
【００４２】
２つの構成成分を連続的に送出するのに適した口腔ケアシステム６００が図１１に示される。口腔ケアシステム６００は、歯ブラシの形態の口腔ケア器具６０２と、ドッキングステーション６０４とを含む。口腔ケア器具６０２は、非常にわずかな一部分のみが図１１に示される長い管材料６０５によって、ドッキングステーション６０４に接続される。管材料６０５は可撓性であり、ユーザーが口腔ケア器具を容易に操作できるようにするのに十分な長さ、例えば約２．５〜３．５フィートの長さである。管材料６０５は、以下で論じるように、任意の所望の位置、例えばヘッド又はハンドルの位置で口腔ケア器具に接続されてもよい。
【００４３】
口腔ケア器具６０２は、ハンドル６０６と、取外し可能なヘッド／首部部分６０８とを含む。ポンピングメカニズム又はポンプモータは、以下で論じるようにドッキングステーション内に設けられるので、ハンドル６０６はそれらの構成要素を含まない。ハンドル６０６には、ヘッドを駆動するのに必要なモータ及び他の構成要素が収容され、２つの流体通路が収容されてもよい。
【００４４】
ドッキングステーション６０４はタワー部分Ｔ及びベース部分Ｂを含む。タワー部分には、２つのリザーバ（図示なし）が収容されており、ベース部分から取外し可能なので、ユーザーがリザーバを再充填又は交換することができる。ベース部分Ｂは、図１２に詳細に示されているように、２つのポンプ６１０、６１２を支持し、これらのポンプは、チューブ６１４、６１６を通じてリザーバから２つの構成成分を受け入れ、チューブの下流部６１８、６２０に送出する。チューブは、ドッキングステーションを出た後、図１１に示されるような管材料６０５を形成する単一のシースに包まれるか、ないしは別の方法で収容されてもよい。ポンプ６１０及び６１２は、モータ６２２、６２４によって独立に駆動される。モータの起動は、プリント基板６２６、６２８上に実装されてもよいコントローラ、例えば１つ以上のマイクロプロセッサによって駆動される。
【００４５】
管材料６０５がベースの位置で、又はハンドル内で口腔ケア器具に入る場合、ハンドルに、２つの流体経路を規定する管材料が収容される。管材料６０５がヘッドの位置で口腔ケア器具に入る場合、ヘッド駆動構成要素のみを収容した標準的なハンドルが使用されてもよい。
【００４６】
いずれかの所望のタイプのリザーバを使用して、上記の口腔ケア器具内に２つの構成成分を収容してもよい。好適なリザーバは、上記で参照により組み込んだ米国特許出願第１０／８６１，２５３号に記載されている。
【００４７】
別の実施形態では、送出器具は、単独で、又は前述の電動歯ブラシと組み合わせて使用することができる、２区画型ディスペンサーの形態で提供することができる。図１３を参照すると、第１の排出口７０５及び第２の排出口７１０を有する２区画型ディスペンサー７００が示されている。ディスペンサー７００は、第１の構成成分を貯蔵する第１の区画７１５と、第２の構成成分を貯蔵する第２の区画７２０とを有する。第１の区画７１５は、チューブ７２２を介して第１の出口７０５と流体連通しており、第２の区画７２０は、チューブ７２４を介して第２の出口７１０と流体連通している。この実施形態では、第１及び第２の区画７１５及び７２０は下流では互いに流体連通していないので、第１及び第２の構成成分は、混ざらず、実質的に混ざらず、混じり合わず、又は別の方法でも、共に分配されない。ピストン型ポンプ７２６を使用して、第１の構成成分を第１の区画７１５からポンピングすることができ、一方、別個のピストン型ポンプ７２８を使用して、第２の構成成分を第２の区画７２０からポンピングすることができる。ポンプ７２６及び７２８は、ばね７３０及び７３２によって付勢することができる。１つ以上のバルブ７３６を設けて、ピストン型ポンプの動作を容易にすることができる。バルブ７３６は、流体を１方向のみに移動させる逆止弁として設けることができる。第１及び第２の区画の容積は、同じ又はほぼ同じにすることができる。別の実施形態では、第１及び第２の区画の容積は異なっており、これは、口腔ケアレジメンの期間中に分配される第１及び第２の構成成分の量が異なる場合に有用である可能性がある。ピストンポンプのストロークごとに第１又は第２の構成成分の用量を計量する目的で、オリフィス７３４を備えることができる。用量は、ピストンポンプのサイズ（例えば、内径）及び／又はストロークによって制御することもできる。
【００４８】
第１及び第２の区画７１５及び７２０は、ディスペンサー７００のハウジング７３４を解放可能に係合する交換可能なカートリッジとして提供することができる。例えば、区画７１５及び７２０はハウジング７３４をねじ込みによって係合してもよい。区画７１５及び７２０は、第１の構成成分と第２の構成成分との間で用量又は計量が異なる場合、各区画がピストンポンプ又はオリフィスと適切に対にされるように、異なるねじ山（ピッチ若しくはサイズ）を備えることができる。第１の排出口と第２の排出口が図示されているが、単一のピストン型ポンプ及び排出口を備えることもでき、その場合には、単一のピストン型ポンプ及び排出口は、第１の区画又は第２の区画のいずれかと選択的に流体連通させて配置することができる。本明細書に全体的若しくは部分的に記載される構成成分、用量、又はレジメンはいずれも、ディスペンサー７００と共に使用することができる。ディスペンサー７００は、本発明と共に用いるのに適した１つの分配器具であるが、他の分配器具を使用できることが理解されるであろう。
【００４９】
本発明の１つの方法では、ブラッシングレジメンの一部として、ユーザーは、第１の構成成分を歯ブラシの上に分配し、続いて第１の構成成分を口腔に適用する。第１の構成成分を使用した後、ブラッシングレジメンの一部として、ユーザーは順次、第２の構成成分を歯ブラシの上に分配し、第２の構成成分を口腔に適用する。任意に、ユーザーは、第２の構成成分を歯ブラシに適用する前に、ブラシ及び／又は自分の口腔をすすいでもよい。歯ブラシには、第１の構成成分と第２の構成成分の切り替えを行う時点、又は第２の構成成分の使用を完了する時点をユーザーに通知する目的で、所定の期間が経過したら信号を作動させるタイマーを含んでもよい。一実施形態では、第２の構成成分は、第１の構成成分を歯ブラシ又は口腔に適用してから約１５、３０、４５、６０、１２０、１８０、２４０、３００、３６０、４２０秒、又は１０、１５、若しくは２０分以内に、歯ブラシ又は口腔に適用される。
【００５０】
ディスペンサー７００は、第１及び第２の区画を備えるものとして説明してきたが、２つを超える区画を備えることができることが理解されるであろう。ディスペンサー７００は、多種多様な形状、サイズ、及び構成で提供されることができる。
【００５１】
図１４を参照すると、別の実施形態では、第１の区画及び第２の区画は、完全に別個のパッケージの形で提供することができ、これらのパッケージは、キットとしてまとめられてもよい。例えば、歯磨剤として提供される第１の構成成分は、第１の歯磨剤ディスペンサー８００内に提供することができ、歯磨剤として提供される第２の構成成分は、第２の別個の歯磨剤ディスペンサー８０５内に提供することができる。第１及び第２のディスペンサーは同じであっても異なっていてもよく、簡単にするため、ディスペンサー７００（図１３）と同じ構造を備えて示される。ユーザーは、第１の歯磨剤パッケージから歯ブラシの上に第１の量を分配し、ある期間、第１の構成成分でブラッシングした後、同じ歯ブラシの上に第２の歯磨剤パッケージからある量の第２の構成成分を分配し、第２の構成成分でのブラッシングレジメンを完了させることができる。第１及び第２の歯磨剤パッケージは、視覚的に明確な形状、サイズ、又は色（１つ若しくは複数）で提供されて、ユーザーが２つを簡単に区別できるようにすることができる。また、第１及び第２の歯磨剤パッケージには、２つを区別するための図形、文字列、アイコン、又は数字が付いていてもよい。いくつかの実施形態では、特定の用量が送出され、その結果、第１及び第２の構成成分間の制御された比率が適用されるように、第１及び第２の歯磨剤パッケージによって第１及び第２の構成成分を計量することができる。
【００５２】
更に別の実施形態では、送出器具は、口内洗浄剤などの液体を分配することができる口腔ケア器具の形態で提供することができる。口腔ケア器具は、歯ブラシの形態で提供することができ、そのいくつかの例は、米国特許第６，３３１，０８８号、同第６，０４７，４２９号、同第６，６８９，０７８号、及び同第６，７３９，７８２号に記載されている。歯ブラシは、可動式の毛ホルダー及び／又は静止式又は非可動式の毛ホルダーを備えてもよい。歯ブラシヘッドは歯ブラシハンドルに解放可能に取り付けられてもよい。図１５を参照して、本発明とともに使用するのに適した流体分配歯ブラシの一例を以下に説明する。歯ブラシ９００は、ハンドル９０５、ヘッド９１０、及びハンドル内に配置された液体リザーバ９１５を有する。液体リザーバ９１５は、交換可能な一回使用のリザーバか、又は歯ブラシのユーザーが再充填できるものであることができる。液体リザーバ９１５は、ヘッド９１０に配置された１つ以上の排出口９２０と液体連通している。排出口９２０は導管９２５によって液体リザーバ９１５に接続される。液体リザーバ９１５内の液体９１３をポンピングし加圧するため、ポンプ９３０が設けられる。ポンプ９３０は、当該技術分野において既知の多種多様な形態で提供することができる。例えば、米国特許第６，６８９，０７８号に記載されているようなピストンポンプを使用することができる。一実施形態では、ポンプ９３０は、リザーバ９１５内の液体を加圧するのに使用される空気ポンプであることができる。加圧されると、液体は、バルブ９３５が開いたときにリザーバを出てもよい。バルブ９３５は、ハンドル９０５上のボタン（図示なし）を押し下げることによって開かれ、又は作動してもよい。
【００５３】
第１の構成成分又は組成物は、好ましくは歯磨剤の形態であるが、他の形態が使用されてもよく、ユーザーによって、歯ブラシ９００のヘッド９１０の毛のタフト９４５（若しくは他の歯洗浄要素）に適用することができる。第１の構成成分としては、本明細書に記載の成分（及びそれらの組み合わせ）及び／又は当該技術分野において既知の他の成分のいずれかを挙げることができる。その結果、第１の構成成分は、歯ブラシが使用されると、口腔の硬組織及び／又は軟組織に適用される。第２の構成成分又は組成物は、好ましくは液体若しくは口腔洗浄剤の形態であるが、次に、歯磨きレジメンの開始時、その最中、又はその終了時に、ユーザーがバルブ９３５を作動又は開放することにより、歯ブラシ９００によって口腔の全体若しくは部分に選択的に適用することができる。第２の構成成分としては、本明細書に記載の成分（及びそれらの組み合わせ）及び／又は当該技術分野において既知の他の成分のいずれかを挙げることができる。
【００５４】
図１６を参照すると、本明細書に記載される器具の１つ以上を、スクリーン９５２を有する表示装置９５０とともに使用することができる。また、様々な装置が、２００６年１１月１５日出願の米国特許出願第６０／８５９，２２６号、２００７年３月２９日出願の同第６０／９２０，６９８号、２００７年４月１６日出願の同第６０／９１２，１１１号に更に記載されている。分配型歯ブラシ９００、手動若しくは電動の歯ブラシ９５８、パッケージ化された歯磨剤９６０、パッケージ化された口内洗浄剤９６５、及び２区画型ディスペンサー７００などの、１つ以上の口腔ケア製品を含むシステム９５５が示されている。本発明とともに使用するのに適したいくつかの手動又は電動の歯ブラシ９５５の例は、米国特許第５，９７４，６１５号、同第５，９３０，８５８号、同第６，００６，３９４号、同第６，１０８，８６９号、同第５，９４３，７２３号、同第６，３０８，３６７号、同第２００３／０１０１，５２６号、同第２００３／０１５４，５６７号、同第６，５３６，０６８号、同第２００２／０１２９４５４号、及び同第５，９８７，６８８号に記載されている。簡単にするため、特定の器具及び製品を図１６に示しているが、本出願に記載されている他の口腔ケア器具及び製品を含む様々な口腔ケア器具が、システム９５５とともに使用されてもよいことが理解されるであろう。口腔ケア製品は、データリンク９７０、９７２、９７４、９７６、及び９７８を使用して、表示装置９５０又は中間装置と通信することができ、中間装置は次に表示装置９５０とデータ通信する。本明細書に記載される１つ以上の口腔ケア製品、表示装置、及び／又はシステム構成要素は、ユーザーに対してキットとして配布若しくは販売するため、まとめることができる。システム９５５はまた、データリンク９８４を介してネットワーク９８２に接続されてもよい。ネットワーク９８２は、１つ以上のコンピュータ、サーバ及びクライアント、又は電子デバイス９８５を備えることができる。
【００５５】
システム９５５の口腔ケア製品及び器具は、器具／製品と表示装置９５０との間でデータを格納、送信、及び／又は通信するための様々な方法と装置とを使用することができる。「データ」という用語は、伝達若しくは通信されるあらゆる形態のあらゆるデジタル又はアナログ情報を指すものとする。データは、データ送信機により能動的に送信されるあらゆるデータ、及び／又はデータ読取機により受動的に検出されるデータを含んでもよい。通信されるデータがデジタルである場合、データは１及び０を含んでもよい。別の実施形態では、データは、「１２３４５６７８」などの一連の桁であることができ、その場合、各桁は、口腔ケア器具の特性に関する情報を表すことができる（例えば、手動歯ブラシの場合、第１桁は、分単位のブラッシング時間を表すことができ、第２桁は、ブラシを交換すべき時までの月数を表すことができ、第３桁及び第４桁は、タイプ固有の報酬などを表すことができる）。データは、情報を表す光学素子（例えば、バーコード）の配置を含んでもよい。データは、電磁エネルギー（例えば、磁場）などが存在する場合又は存在しない場合を包含してもよい。データは、図１７に示されるプロセッサ９８６によって、格納、解釈、復号化、又は分析されてもよい。例えば、データが、「１２３４５６７８」などの一連の桁である場合、プロセッサ９８６及び／又は関連するメモリ９８７は、データを復号化若しくは解釈して、データによって表される情報が何であるかを判断することができる、一組の命令を含むことができる。
【００５６】
データ送信機は、データをデータ読取機に能動的に送信する装置又は構成要素である。高周波識別タグ（ＩＣタグ、無線タグ、電子タグ）、即ちＲＦＩＤタグは、データ送信機の一例である。データ通信機は、データを能動的に送信してもしなくてもよいが、ただし検出することができるデータを有する装置又は構成要素である。ＲＦＩＤタグなどのデータ送信機は、一種のデータ通信機であるが、データ通信機はデータを必ずしも能動的に送信する必要はない。データ読取機によって検出されるか読み取ら得るデータを含み、ただしデータを能動的に送信しないデータ通信機の例は、バーコード（バーコード読取機がデータ読取機である場合）、スポットコード、若しくはホール効果磁石（ホール効果センサがデータ読取機である場合）である。したがって、理解されるように、「データ通信機」、「データ送信機」、及び「データ読取機」という用語は、データ通信機が存在することを単に検出することを含む、様々なアナログ若しくはデジタルデータの送信、通信、及び／又は検出のための多種多様な装置及び構成を包含するものとする。「データ通信」という用語は、データ読取機、データ送信機、データ通信機、並びに表示装置と口腔ケア製品のいずれかなどの２つの構成要素間のデータ通信を含む、本発明の装置によってデータを送信、通信、及び／又は検出してもよい、すべての方法及び形態を包含するものとする。
【００５７】
ＲＦＩＤタグ又は他のデータ送信機／通信機によって格納及び／又は送信若しくは通信されるデータは、非常に多種多様であり得る。データの分類の一部としては、製品識別データ（例えば、商標名若しくは製品名）、製品の使用又はレジメンのデータ（例えば、洗浄剤の場合の１分のレジメンなどの使用時間、製品の使用に関する文字列若しくは図形による指示、使用順序に関する情報など）、１つ以上の報酬、並びに、構成要素又は製品交換データ（例えば、構成要素若しくは製品を交換すべき時までに使用することができる回数や時間）が挙げられる。指導的画像、文字列、又はデータは、小児が適切なブラッシングレジメンを確立する際に特に有用であり得る。データは、表示装置９５０に直接表示することができ、又は、表示装置９５０の機能若しくは特徴についてのプロセッサ９８６に対する入力として使用することができる。例えば、口腔ケア製品の各々は、ＲＦＩＤタグ９８８を備えることができ、それによって、表示装置９５０と関連付けられた読取機９９０に使用又はレジメンのデータを送信することができる。一実施形態では、使用データは、表示装置９５０に表示されるカウントアップ又はカウントダウンタイマーに対する入力として使用することができる。ＲＦＩＤタグから表示装置９５０と関連付けられたデータ読取機９９０へのデータ送信を開始するためには、単に、ＲＦＩＤタグを含む口腔ケア製品を、ＲＦＩＤタグの出力を上げるのに十分に読取機９９０に近接させて置けばよい。
【００５８】
一実施形態では、口腔ケアレジメンは、歯磨剤に関するデータ（例えば、歯磨剤を口腔に適用する時間量）及び洗浄剤に関するデータを表示装置９５０に通信するため、歯磨剤パッケージ９６０（歯磨剤を収容したチューブ、若しくは紙箱などの外装を含むあらゆるパッケージであり得る）及び洗浄剤パッケージ９６５を、表示装置９５０（若しくは、表示装置９５０とデータ通信している中間構成要素）とデータ通信するようにして置くことを含むことができる。歯磨剤は歯ブラシ９００のヘッド９１０に適用され、液体洗浄剤は液体リザーバ９１３に装填される。次に歯ブラシ９００は、表示装置９５０とデータ通信するようにして置かれ、それによってタイマーが始動し、その時間間隔が表示装置９５０に表示され、歯磨剤パッケージ９６０と関連付けられたＲＦＩＤタグによって通信されたデータに従って設定される。表示装置９５０は、時間間隔の開始時、最中、若しくは終了時に、パッケージ化された洗浄剤９６５のデータ通信機によって読取機９９０に通信されたデータに基づいて、歯ブラシ９００のユーザーが洗浄剤９６５を分配すべきであることを示す、１つ以上の可聴及び／又は可視信号を表示するか送ることができる。一実施形態では、タイマーは、洗浄剤の用量及び／又は適用期間に近似する洗浄剤を口腔内で使用するための時間間隔に近似させるため、洗浄剤を口腔に分配するための時間間隔のいずれかを通信することができる、表示装置９５０に表示される第２の時間間隔を開始することができる。第２の時間間隔は、洗浄剤パッケージ９６５と関連付けられたＲＦＩＤタグ（又は他のデータ通信機）によって通信されるデータに従って設定することができる。歯磨剤又は第１の時間間隔は約３０秒〜３分であることができ、液体洗浄剤又は第２の時間間隔は、約３０秒〜３分であることができる。時間間隔の長さは、歯磨剤と液体洗浄剤との間の意図される相互作用に応じて変えることができる。本明細書に記載される工程は様々な順序で行うことができ、いくつかの工程は、各口腔ケア又は歯磨きサイクルにおいて必ずしも行わなくてもよいことが理解されるであろう。例えば、液体リザーバ９１３は必ずしも毎回再充填されなくてもよく、及び、歯磨剤及び洗浄剤が最初に使用されるときなど、歯磨剤及び洗浄剤のパッケージを一度だけ表示装置９５０とデータ通信するように配置すればよい。その後、ＲＦＩＤタグによって通信されたデータを、新しい歯磨剤及び洗浄剤のパッケージを購入し最初に使用するときなど、そのデータが消去されるか置き換えられるときまで、メモリ９８７に格納することができる。更に、歯磨剤及び洗浄剤の口腔への適用は順次的であるものとして記載してきたが、適用は同時に又は全体的にそのように発生することができる（例えば、歯磨剤が口腔に適用され、その直後に洗浄剤が適用される）ことが予測される。表示装置９５０はまた、歯磨剤又は洗浄剤を口腔のすべての四分円に適用する助けとなる視覚的ガイドなど、他の情報を表示することができる。例えば、口腔の各四分円の表現を表示装置９５０に表示して、歯磨剤、洗浄剤、又はブラッシング動作をいつ、若しくはどの程度の時間、口腔のその四分円に適用すべきかを示すことができる。
【００５９】
別の実施形態では、２区画型ディスペンサー７００及び／又は歯ブラシ９５８を、表示装置９５０とデータ通信するように置くことができる。２区画型ディスペンサー７００は１つ以上のデータ通信機を備えることができる。いくつかの実施形態では、１つのデータ通信機が各区画と関連付けられてもよい。表示装置９５０とデータ通信することによってタイマーを始動させることができる。次に、表示装置９５０は、歯ブラシ９５８及び／又は区画型ディスペンサー７００のデータ通信機によって送信されたデータに基づいて、カウントアップ又はカウントダウン時間間隔を表示することができる。例えば、ＲＦＩＤタグ９８８などのデータ通信機は、第１の区画７１５の口腔ケア組成物を使用すべき時間量を表すデータを通信してもよい。ＲＦＩＤタグ９８８、又は第２の区画７２０と関連付けられた第２のＲＦＩＤタグも、第２の区画の口腔ケア組成物を使用すべき時間量を表すデータを通信してもよい。例えば、ＲＦＩＤタグ９８８は、第１の区画７１５の口腔ケア組成物は１分間口腔に適用され、第２の区画７２０の口腔ケア組成物は２分間口腔に適用されるように通信する。このデータが通信されると（あるいは、表示装置９５０とデータ通信している歯ブラシ９５８の配置など、他の何らかのデータが通信されると、又は更には、ボタン若しくはタッチスクリーン要素９５３を作動させることにより表示装置のタイマーが手動で始動されると）、表示装置９５０は、第１の時間間隔又は１分間のタイマーを表示することができる。第１の時間間隔が終了すると、表示装置９５０は、第２の区画７２０からの第２の口腔ケア組成物を歯ブラシ９５８のヘッドに適用する（及び／又は、第２の口腔ケア組成物を適用する前に歯ブラシ及び／又は口腔をすすぐなどの追加の動作）という信号又は通知を表示することができ、続いて、第２の口腔ケア組成物を第２の区画７２０から口腔に適用する。表示装置９５０は、第２の口腔ケア組成物を口腔に適用する、上記の２分間などの第２の時間間隔又は期間を表示することができる。第２の時間間隔は、歯ブラシ９５８を表示装置９５０とデータ通信させて置くことによって、スイッチ、ボタン、若しくは表示装置９５０上にあるかそれと関連付けられた他の制御部をユーザーが始動させることによって、又は所定の期間後に自動的に開始することができる。第２の時間間隔が終了すると、表示装置９５０は、第２の時間間隔が経過したという聴覚信号（聴覚を通じて把握される信号、聴覚に働きかける信号、音声信号）及び／又は視覚信号（視覚を通じて把握される信号、視覚に働きかける信号、映像信号）を提供することができる。第２の時間間隔の経過後、第２の口腔ケア組成物の使用をやめてもよい。理解されるように、区画化されたパッケージ７００及び／又はその中に貯蔵された口腔ケア組成物と関連付けられた、他の情報（例えば、指導的情報、レジメン又は使用情報（ユーザー情報の履歴など）、報酬、教育的情報、クーポンなど）を表示装置９５０によって表示することができる。更に、簡単にするため、２区画型ディスペンサー７００と関連してシステム９５５を本明細書に記載してきたが、本発明の方法は、１つ以上の区画及び／又は口腔ケア組成物を含むあらゆるパッケージ、又は、各々が１つ以上の口腔ケア組成物を収容する複数の個別パッケージと共に使用することができることが理解されるであろう。
【００６０】
口腔ケア組成物及び構成成分
以下では、２成分口腔ケア組成物について説明する。場合によっては、ユーザーの口内に２つの構成成分を別個に送出するか、又は使用まで口腔ケア組成物の２つの構成成分を別個に保持して、送出中若しくは口腔内で構成成分を混合することが有益又は必要である。これは、例えば、「方法」の項で上述したように、一緒に貯蔵すると２つの構成成分が互いに反応及び／又は中和し合うか、又は２つの構成成分内の成分が異なるｐＨレベルで活性である場合に当てはまり得る。続いて、様々な２成分組成物及びそれらの利用の例について述べる。以下に示すとおり、一部のケースでは、記載されている組成物のいくつかは、上記の方法に従って他の任意の所望の構成成分（標準的な歯磨剤又はうがい薬など）と共に順次又は同時に送出されてもよい単一の構成成分として提供され得る。
【００６１】
以下の論考では、上述した方法及び器具を使用して全体的又は部分的に有利に送出することができるような２成分組成物に焦点を当てる。ただし、上述の方法及び器具は、例えば、歯磨剤及びうがい薬、２つの香味が異なる歯磨剤など、関連がない２つの構成成分、並びに以下に言及していない他の２成分組成物の送出にも等しく適していることに留意されたい。
【００６２】
悪臭治療
口の硬組織と軟組織は、代謝能の異なる細菌が含まれている微生物個体群で覆われている。これらの微生物個体群内のグラム陽性菌は、炭水化物を容易に異化させて、口腔の硬組織を攻撃する酸を生成し、その結果、う蝕（虫歯）を形成する。これに対し、グラム陰性菌、とりわけ嫌気性菌は、唾液に含まれている種々のアミノ酸と、口腔内のペプチド及びタンパク質（アミノ酸ほどは含まれていない）を容易に代謝させて、口臭及び歯周炎の発生を助長する最終生成物を形成する。
【００６３】
口臭（臨床的に口臭症（halitosis）という）は、揮発性硫黄化合物、主に硫化水素、メチルメルカプタン、及び微量の硫化メチルを生成させる、歯垢、粘膜に付着している残渣、及び唾液細胞要素上にあるこれらの微生物の腐敗作用が原因である可能性がある。
【００６４】
２成分口腔ケア組成物には、口臭を軽減し、息の清涼感を向上させ、及び／又は歯垢の蓄積を防ぐことができるものがある。口腔ケア組成物の第１の構成成分としては、金属塩、例えばＣｕ（ＩＩ）などの銅塩が挙げられ、口腔ケア組成物の第２の構成成分としては、酸化剤、例えば亜塩素酸塩が挙げられる。この２つの構成成分は、使用時まで、又は使用直前まで、例えば上述したような送出器具の２つの区画内で別々に保持される。この構成成分は、まず歯磨剤を使って歯をブラッシングしてから口腔ケア用うがい薬を使うという２つの工程プロセスによってではなく、ユーザーにより、例えば本明細書に記載の器具を用いて単一の工程で適用することができる。
【００６５】
理論に束縛されるものではないが、このような組成物は、２重のアプローチによって悪臭を軽減させることができる。まず、金属塩が、揮発性硫黄化合物（ＶＳＣ）を金属硫化物として沈殿させることによって、ＶＳＣの濃度を低下させることができる。個別の化学経路を用いて、酸化剤が悪臭化合物（アミン及び硫化物など）を酸化させて、不揮発性、すなわち無臭形態にする。これに加えて、酸化剤と金属塩、とりわけＣｕ（ＩＩ）塩には抗菌作用があり、その作用も、ユーザーに対して抗う蝕（anti-carries）効果をもたらすことができる。
【００６６】
いくつかの実施形態では、２成分組成物は、単一成分の口腔ケア製品（例えば歯磨剤又は口内洗浄剤のみ）の使用と比べて、又は更に場合によっては歯磨剤の次に口内洗浄剤が続く口腔ケアレジメン（regime）の使用と比べて、効能の増大をもたらすことができる。したがって、いくつかの実施形態では、ほぼ同等の効能を得るために、単一成分系で適用することになる量に比べて、２成分組成物中でより少量の活性成分が適用されるか、又は逆に、同じ量の活性成分で、より大きな効能をもたらすことになる。
【００６７】
適切な金属塩の例としては、Ｃｕ塩、Ｚｎ塩、Ａｇ塩、Ｓｎ塩、Ｍｇ塩、Ｆｅ塩、及びＭｎ塩が挙げられる。好ましい実施形態の一部では、第１の構成成分として、Ｃｕ（ＩＩ）イオンを溶液中に放出させることが可能な銅塩が挙げられる。適切な銅塩の例としては、グルコン酸銅、塩素酸銅、塩化銅、フッ化銅、及び硝酸銅が挙げられる。一般に、銅塩は、第１の構成成分中に、約５０〜１０，０００ｐｐｍ、又は約２００〜約２０００ｐｐｍ、例えば５００〜約１０００ｐｐｍの濃度で存在する。
【００６８】
好適な酸化剤の例としては、亜塩素酸塩、過酸化水素、及び過ホウ酸塩、過塩素酸塩、ペルオキシ酸並びに高塩素酸塩（hyperchlorates）が挙げられる。いくつかの好ましい実施形態では、第２の構成成分としては、亜塩素酸イオンを溶液中に放出させることが可能な亜塩素酸塩が挙げられる。好適な亜塩素酸塩の例としては、亜塩素酸ナトリウムが挙げられる。一般に、亜塩素酸塩は、第２の構成成分中に、約１００〜１０，０００ｐｐｍ、又は約１０００〜約４０００ｐｐｍ、例えば約１６００〜約２４００ｐｐｍの濃度で存在する。
【００６９】
口腔ケア組成物の２つの構成成分の各々は、歯磨剤として、又は口内洗浄剤として独立に調合することができる。一般に、口腔ケア組成物の各構成成分が歯磨剤として調合されている場合、その構成成分は、ユーザーの口内に同時又は順次に送出されてもよい。第１及び第２の構成成分は、上述したもののような送出器具を用いて送出され得る。口腔ケア組成物の各構成成分は、単一の塊で送出することができ、あるいは、例えば、約０．０１ｍＬ／分〜約２０ｍＬ／分、又は２分のブラッシング期間にわたって約０．１５ｍＬ／分〜約１ｍＬ／分、又は約０．１５ｍＬ／分〜約０．５ｍＬ／分の速度で、ユーザーのブラッシング期間中に連続して送出することができる。
【００７０】
別の実施形態では、口腔ケア組成物の両方の構成成分が、口内洗浄剤として送出される。各構成成分は、単独で投与することができ、あるいは、２つの構成成分は使用直前に混合することができる。一般に、口内洗浄剤全体のうちの約１５ｍＬ〜約３０ｍＬを約３０秒間、例えば１：１の構成成分比で用いる。
【００７１】
別の実施形態では、一方の構成成分を歯磨剤として、他方を口内洗浄剤として投与することができる。構成成分は、同時又は順次に投与することができる。一実施形態では、第１及び第２の構成成分が同時に投与される場合、第１の構成成分と第２の構成成分の比率は、口腔ケア組成物の投与中に変えることができる。例えば、本明細書に記載の口腔ケア器具を用いて口腔ケア組成物が投与されて、最初は約８０：２０という第１の構成成分と第２の構成成分の比率で口腔ケア組成物が投与され、第１の構成成分と第２の構成成分の比率が投与期間を通じて約２０：８０まで変化するようにすることができる。
【００７２】
口臭を改善させることができる口腔ケア組成物の別の例としては、全体を参照により本明細書に組み込む米国特許第６，３７５，９３３号に記載されている２成分歯磨剤が挙げられる。これらの歯磨剤には、別個の半固体水性成分内に含まれている亜鉛及び亜塩素酸イオン放出可能化合物が含まれている。いくつかの実施形態では、第１の構成成分は、亜鉛イオン源としての亜鉛塩及び亜塩素酸イオン源としての亜塩素酸塩を、約６．０〜７．５、例えば約６．８のほぼ中性のｐＨを有する経口的に受容できる賦形剤の形で含む。第２の構成成分は、約２．０〜約６．０、好ましくは約４．０〜約５．５の酸性のｐＨを有する。口腔ケア組成物の２つの構成要素を混合し組み合わせることで、最終生成物のｐＨは、６．５以下、好ましくは約５．８〜約６．４になり、それによって二酸化塩素が生成される。２つの構成成分は、水、保湿剤、界面活性剤、及び研磨剤とともに調合されて、類似の物理的特性を持たせるのが好ましく、酸性の構成成分には、ｐＨを所望の酸性度に調節する目的で酸化合物が添加されている。
【００７３】
適切な亜鉛イオン放出可能化合物は、一般には、水溶性亜鉛塩（硝酸亜鉛、クエン酸亜鉛、塩化亜鉛、硫酸亜鉛、重炭酸亜鉛、及びシュウ酸亜鉛など）であり、好ましいのは硝酸亜鉛である。亜鉛塩は一般に、ｐＨが中性の歯磨剤成分中に、約０．２５〜約１０重量％、好ましくは約０．５〜約２．０重量％の濃度で組み込まれている。亜塩素酸イオン放出可能化合物としては、亜塩素酸アルカリ金属、亜塩素酸アルカリ土類金属、並びにその他のいずれかの遷移金属、内部遷移金属の亜塩素酸塩及び／又はポリマー塩が挙げられる。水溶性亜塩素酸塩が好ましい。適切な亜塩素酸金属の例としては、亜塩素酸カルシウム、亜塩素酸バリウム、亜塩素酸マグネシウム、亜塩素酸リチウム、亜塩素酸ナトリウム、及び亜塩素酸カリウムが挙げられる。２つ以上の亜塩素酸塩源の混合物も使用してもよい。亜塩素酸イオン放出可能塩は一般に、ｐＨが中性の歯磨剤成分中に、約０．５〜約５重量％、好ましくは約０．１〜約１重量％の濃度で組み込まれている。
【００７４】
歯磨剤組成物の酸性の歯磨剤成分には、酸性化させるために酸又は酸の混合物が含まれており、それによって、中性の歯磨剤成分中に存在する亜塩素酸化合物を活性化させ、使用前に２つの構成成分を組み合わせたときに二酸化塩素を放出する。
【００７５】
本発明の酸性の歯磨剤成分中に存在することのできる酸性化合物は、鉱酸及び有機酸の両方を含む（例えば、硫酸、塩酸、リンゴ酸、アルギン酸、クエン酸、コハク酸、乳酸、酒石酸、重酒石酸カリウム、クエン酸ナトリウム（acid sodium citrate）、リン酸、及びリン酸ナトリウム）。酸性リン酸塩（ＰＯ４イオンが含まれているリン酸又はリン酸の塩など）が好ましく、このような酸及びその酸性塩（リン酸１ナトリウムなど）は、所要の酸性度をもたらすのみならず、リン酸イオンももたらし、２成分歯磨剤を歯に適用することによって生じ得る歯のエナメル質の脱灰を抑制する。好ましい酸であるリン酸は、８５％の濃度で液体として市販されている。本発明の中性歯磨剤成分と酸性歯磨剤成分とを組み合わせた場合、この酸は、歯磨剤のｐＨを約２．０〜約６．０、好ましくは約４．０〜約５．５のｐＨに保つ量で歯磨剤成分に添加され、組み合わされた組成物のｐＨは約５．８〜約６．４である。
【００７６】
この組成物は、抗歯石効能のあるピロリン酸塩、例えば、ジアルカリ又はテトラアルカリ金属ピロリン酸塩（Ｎａ４Ｐ２Ｏ７（ＴＳＰＰ）、Ｋ４Ｐ２Ｏ７、Ｎａ２Ｋ２Ｐ２Ｏ７、Ｎａ２Ｈ２Ｐ２Ｏ７、及びＫ２Ｈ２Ｐ２Ｏ７など）のような水溶性塩も含んでもよい。ポリリン酸塩としては、水溶性アルカリ金属トリポリリン酸塩（トリポリリン酸ナトリウム及びトリポリリン酸カリウムなど）を挙げることができる。ピロリン酸塩は、約０．０５〜約２．０重量％、好ましくは約０．５〜約２重量％の濃度で組み込まれてもよく、その一方で、ポリリン酸塩は、約１．０〜約７．０重量％の濃度で組み込まれてもよい。
【００７７】
歯ホワイトニング組成物
歯のホワイトニングに用いることができる２成分口腔ケア組成物の例は例えば、全体を参照により本明細書に組み込む米国特許第６，１７４，５１６号に記載されている。
【００７８】
過酸化物含有歯磨剤成分の歯ホワイトニング効能は、まずｐＨがアルカリ性の水性洗浄剤成分を歯に適用してから過酸化物歯磨剤を歯に適用することによって、実質的に高めることができる。アルカリ性洗浄剤は、歯磨剤に含まれている過酸化物から酸素を迅速に放出するのを開始及び促進させる傾向がある。このような順次的な投与は、上述の方法と器具を用いて行うことができる。例えば、洗浄剤を１回投与してから歯磨剤を１回投与するか、又は交互に（洗浄剤、歯磨剤、洗浄剤、歯磨剤など）行うかのいずれかで、アルカリ性洗浄剤と過酸化物歯磨剤を順次送出するように送出器具をプログラムすることができる。
【００７９】
いくつかの実施形態では、水性洗浄剤成分には、水、又は水とエタノールとの混合物が約７０％〜約９５％、好ましくは約６５％〜９５％の水と、約０％〜３５％のエタノールが含まれている。
【００８０】
過酸化物化合物は、歯をブラッシング中に十分な酸素が放出されてそのホワイトニング効果を発揮するのに十分な量で含まれる。過酸化物化合物は、構成成分の約５〜約１５重量％含まれるのが好ましい。本発明の実施に際して用いる歯磨剤成分を調製する際に利用するのに好適な過酸化物化合物の例としては、過酸化カルシウム、過酸化水素、及び過酸化尿素、過酸化グリセリル、過酸化ベンゾイルなどの過酸化物が挙げられる。好ましい過酸化物化合物は過酸化尿素である。
【００８１】
金属イオンキレート剤が過酸化物歯磨剤成分に含まれると、金属イオンキレート剤は、歯磨剤中に研磨剤（か焼アルミナ又はピロリン酸カルシウムなど）も存在している場合に、過酸化物化合物の化学的安定性に寄与できる。適切な金属イオンキレート剤の例としては、スズ酸アルカリ金属（スズ酸ナトリウム及びスズ酸カリウムなど）、エチレンジアミンテトラ酢酸（ＥＤＴＡ）、及びその塩が挙げられる。金属イオンキレート剤は、歯磨剤成分中に、約０．０１〜約１重量％の濃度で組み込まれる。
【００８２】
過酸化物歯磨剤成分を調製する際、ｐＨは、リン酸などの酸によって、約３．０〜約８、好ましくは約５〜約７の範囲に調節する。
【００８３】
風味
香味の向上を促進させることのできる口腔ケア組成物の例としては、米国特許第６，６９６，０４７号（参照することによりその全体が本明細書に組み込まれる）に記載されているものが挙げられる。亜塩素酸塩が含まれている２成分口腔用組成物の一部は、二酸化塩素への変換による亜塩素酸塩の喪失、並びにその他の組成物成分（香味及び甘味剤）の分解に対して安定している。口腔ケア組成物では、効能が得られるように所定濃度の亜塩素酸イオンを維持するのに加えて、製品の消費者受容性は製品の香味と味質によって大きく影響されることから、香味成分が分解しないことがとりわけ重要である。
【００８４】
いくつかの実施形態では、保管中にｐＨが大きく変化しないように、水性成分は塩基性ｐＨで調合されている。いくつかの実施形態では、２つの構成成分を混合した時、得られる組成物にも、製品の香味特性を変える可能性がある二酸化塩素の不快な刺激臭はない。
【００８５】
第１の構成成分は亜塩素酸イオンを含んでもよく、第２の構成成分は、製薬上許容できる局所的口腔キャリアを含んでもよいが、亜塩素酸塩は含まない。第１の構成成分は、亜塩素酸イオンと相溶性のある製薬上許容できる局所的口腔キャリアを含むこともできる。好ましくは、第１の構成成分は更に、相溶性のある結合剤、緩衝剤、及び／又は防腐剤を１つ（又は１つ以上）含む。好ましくは、亜塩素酸塩が含まれていない第２の構成成分は、香味剤、界面活性剤、フッ化物イオン、保湿剤、及び／又は研磨剤を含む。
【００８６】
２つの構成成分は、同時に送出されることができるとともに、分配中に、例えば１：１の体積比で組み合わせて組成物を形成させることができる。
【００８７】
組成物中の亜塩素酸イオンの濃度は、歯肉／粘膜組織若しくは歯と接触する組成物の効果の違い、及び一般に用いられる組成物量の理由から、歯肉／粘膜組織、及び／又は歯に亜塩素酸イオンを適用する際に用いられる組成物のタイプ（例えば練り歯磨き又は口内洗浄剤）に応じて決めることができる。この濃度はまた、処置対象の疾患又は状態に応じて決定される。
【００８８】
一般には、口腔内に取り入れられる口内洗浄剤では、亜塩素酸イオンの濃度は、組成物の約０．０２重量％〜約０．５重量％の範囲であるのが好ましく、約０．１０重量％〜約０．３０重量％であれば更に好ましい。好ましくは、本発明の口内洗浄剤組成物は、洗浄剤を約１５ｍＬ用いた場合に、口腔に約３．７５〜約３０．０ｍｇの亜塩素酸イオンを送出する。歯磨剤（練り歯磨き及び歯磨き用ゲルなど）及び非研磨性ゲルでは、亜塩素酸イオンの濃度は、組成物の約０．５重量％〜約３．０重量％の範囲であるのが好ましい。亜塩素酸イオンの上記濃度は、構成成分を一緒に混合して組成物を形成した後の亜塩素酸イオンの濃度を表している。したがって、亜塩素酸含有成分中の亜塩素酸イオンの濃度は、最終組成物を得る目的で亜塩素酸含有成分と混合される第２の構成成分又は追加成分の量によって変化する。
【００８９】
全身の健康
いくつかの実施形態では、製薬上許容できるキャリアとの混合剤中に安全かつ効果的な量の亜塩素酸イオンが含まれている１又は２成分局所的口腔用組成物を用いることによって、ヒト及び動物の全身の健康を促進させることができ、当該組成物は、口腔内に存在する細菌媒介性疾患及び状態を制御したり、血流中への口腔病原菌及び付随の細菌毒素の蔓延、並びにそれに伴う炎症性サイトカイン及びメディエータを抑制したりするのに効果的である。これらの組成物は、ヒト及びその他の動物の全身の健康を促進及び／又は向上させる目的で、安全かつ効果的な量の亜塩素酸イオンを用いて、口腔に局所的に適用することができる。
【００９０】
全身の健康に対して用いるのに効果的な口腔ケア組成物の例は、例えば、全体を参照により本明細書に組み込む米国特許第６，８４６，４７８号に見出すことができる。いくつかの実施形態では、ヒト及び動物の全身の健康を促進させるために局所的口腔用組成物を用いることができ、当該組成物は、製薬上許容できるキャリアとの混合剤中に安全かつ効果的な量の亜塩素酸イオンを含み、口腔内に存在する細菌媒介性疾患及び状態を効果的に制御するとともに、血流中への病原菌、付随の細菌毒素の蔓延、並びにそれに伴う炎症性サイトカイン及びメディエータを抑制する。
【００９１】
いくつかの実施形態には、ヒト及びその他の動物の全身の健康を促進及び／又は向上させる目的で、口腔に局所的に適用することによってこれらの組成物を使用する方法が含まれている。更に具体的には、組成物を用いて、心臓血管疾患、脳卒中、アテローム性動脈硬化症、糖尿病、重度の呼吸器感染、早産、及び出生時低体重（並びに分娩後の神経及び発育機能不全）の発現リスク、並びにこれらに伴う死亡リスクを軽減することができる。好ましい方法では、組成物を用いて、歯周病など、口腔の疾患及び状態を処置及び予防し、それによって、以下の健康指標又はバイオマーカーから明らかなように、治療対象の個人の強められた全身の健康を促進及び／又は向上させる。
【００９２】
１）心臓麻痺、脳卒中、糖尿病、呼吸器感染、出生時低体重児、及び分娩後の神経／発育機能不全の発現リスク、並びにこれらに伴う死亡リスクの軽減
２）動脈の脂肪線条、アテローム斑、斑形成の進行、アテローム斑上の線維性被膜の菲薄化、アテローム斑の破裂、及びその結果生じる血液凝固症状の発現の軽減
３）頸動脈（内膜）壁の厚み（例えば亜塩素酸イオンの濃度はした場合の厚み）の縮小
４）血液亜塩素酸イオンの濃度は及び／又は亜塩素酸イオンの濃度はの軽減（具体的には、口腔細菌、リポ多糖体（ＬＰＳ）の血中濃度、及び／又は動脈プラーク、動脈構造、及び／又は遠隔臓器（例えば心臓、肝臓、膵臓、腎臓）内に見られる口腔病原体及び／又はその成分の発生率の低下をもたらす）
５）下部呼吸器の病原菌吸入への曝露、並びにそれに伴う肺炎の発現及び／又は慢性閉塞性肺疾患の悪化の軽減
６）循環ヘマトクリット、ヘモグロビン、白血球数、及び／又は血小板数の変化の軽減
７）炎症性メディエータ／サイトカイン（ＴＮＦ−α、ＩＬ−６、ＣＤ−１４、ＩＬ−１など）の血中／血清濃度の調節障害の発生率の低下
８）急性期反応物質（Ｃ反応性タンパク質、フィブリノゲン、及びハプトグロビンなど）の血中／血清濃度の調節障害の発生率の低下
９）代謝調節障害の血中／血清マーカー（ホモシステイン、グリコシル化ヘモグロビン、８−イソ−ＰＧＦ−２α、及び尿酸など）の調節障害の発生率の低下
１０）グルコース代謝の調節障害（典型的に、耐糖能異常試験によって評価する）、空腹時血糖濃度の上昇、空腹時インスリン濃度異常の発生率の低下
１１）血中脂質濃度（具体的には、血中若しくは血清コレステロール、トリグリセリド、ＬＤＬ、ＨＤＬ、ＶＬＤＬ、アポリポタンパク質Ｂ、及び／又はアポリポタンパク質Ａ−１など）の調節障害の軽減。
【００９３】
理論に束縛されるものではないが、前記組成物は、口腔内に存在している細菌媒介性疾患及び状態を制御することによって全身の健康を促進させ、ひいては、血流及びその他の体の部分への細菌、細菌毒素及び内毒素、並びに炎症性メディエータ／サイトカインの蔓延を予防すると考えられる。
【００９４】
いくつかの実施形態では、口腔ケア組成物としては、治療用の洗浄剤、とりわけ口内洗浄剤、並びに練り歯磨き、歯磨き用ゲル、歯磨き用粉末、非研磨性ゲル（歯肉縁下用ゲルを含む）が挙げられ、これらは、
（ａ）安全かつ有効な量、好ましくは最小有効量の亜塩素酸イオン剤と、
（ｂ）製薬上許容できる局所的口腔キャリアとを含み、この場合、最終組成物は、二酸化塩素又は亜鉛素酸を本質的に含まず、組成物は、次亜塩素酸イオン又は次亜塩素酸塩を本質的に含まず、最終的なｐＨは７よりも大きく、好ましくは７．５よりも大きく、更に好ましくは約８〜１２である。亜塩素酸イオン剤は、本組成物中に、亜塩素酸イオンの約０．０２重量％〜約６．０重量％を占める量で組み込まれるのが好ましい。
【００９５】
「亜鉛素酸又は二酸化塩素を本質的に含まない」とは、本明細書で使用する時、二酸化塩素又は亜鉛素酸を測定するための既知の分析手法（非常に特殊な電子スピン共鳴（ＥＳＲ）分光法など）を用いた場合に、非常に低レベル、例えば約２ｐｐｍ未満の、好ましくは約１ｐｐｍ未満の二酸化塩素又は亜鉛素酸しか含まれていない組成物を意味する。
【００９６】
本組成物は、抗菌／抗歯石剤、バイオフィルム阻害剤、抗炎症剤（シクロオキシゲナーゼ阻害剤及びリポキシゲナーゼ阻害剤など）、Ｈ２−拮抗薬、メタロプロテイナーゼ阻害剤、サイトカイン受容体拮抗薬、リポ多糖体錯化剤、組織増殖因子、免疫刺激薬、細胞酸化還元調節剤（抗酸化物質）、鎮痛薬、ホルモン、ビタミン、及びミネラルからなる群から選択される１つ以上の追加の治療薬を更に含有するのが好ましい。
【００９７】
いくつかの実施形態では、例えば、組成物に追加の治療薬が含まれている場合、組成物は、亜塩素酸イオンが含まれている第１の構成成分と、追加の治療薬が含まれている第２の構成成分を含むことができる。
【００９８】
亜塩素酸イオン源
いくつかの実施形態では、亜塩素酸イオンは、記載した組成物及び方法において必須成分である。亜塩素酸イオンは、いかなるタイプの亜塩素酸塩に由来することもできる。例としては、亜塩素酸アルカリ金属、亜塩素酸アルカリ土類金属、並びにその他の任意の遷移金属、内部遷移金属の亜塩素酸塩及び／又はポリマー塩が挙げられる。水溶性亜塩素酸塩が好ましい。適切な亜塩素酸金属の例としては、亜塩素酸カルシウム、亜塩素酸バリウム、亜塩素酸マグネシウム、亜塩素酸リチウム、亜塩素酸ナトリウム、及び亜塩素酸カリウムが挙げられる。好ましいのは亜塩素酸ナトリウムと亜塩素酸カリウムである。亜塩素酸ナトリウムが特に好ましい。２つ以上の亜塩素酸塩源の混合物を使用してもよい。
【００９９】
歯磨剤組成物では、亜塩素酸イオンの濃度は、組成物の約０．００５重量％よりも大きく、０．０１重量％よりも大きく、０．０２重量％よりも大きく、０．４重量％よりも大きく、０．６重量％よりも大きく、０．７５重量％よりも大きく、及び／又は約２重量％未満、１．５重量％未満、若しくは１重量％未満である。
【０１００】
口内洗浄剤組成物では、亜塩素酸イオンの濃度は、組成物の約０．０２重量％よりも大きく、好ましくは約０．０７５重量％よりも大きく、更に好ましくは約０．１５重量％よりも大きい。
【０１０１】
歯肉炎を治療又は予防する方法では、組成物は亜塩素酸イオンを組成物の約０．１重量％〜約６重量％含むのが好ましい。
【０１０２】
亜塩素酸塩は、亜塩素酸ナトリウムとして、様々な供給元から入手可能である。亜塩素酸ナトリウムは、工業用粉末又はフレークとして、及び様々な濃度の水性濃縮液として市販されている。亜塩素酸ナトリウム減としては、アラゴネサス（Aragonesas）から、及びバルカン（Vulcan）から入手可能な亜塩素酸ナトリウムが挙げられる。これらの源は一般に４％以下の塩素酸ナトリウムも有する。
【０１０３】
亜塩素酸イオン源は、高純度、例えば７０％以上であるのが好ましい。更には、本発明の組成物には、次亜塩素酸塩若しくは次亜塩素酸イオン、ジクロロイソシアヌレート、又はその塩が本質的に含まれていないのが好ましい。
【０１０４】
亜塩素酸イオンの濃度は、カリフォルニア州サニーベールのダイオネックス社（Dionex Corporation）から入手可能な交換カラムＩｏｎ  Ｐａｃ  ＡＳＩＩを用いて無機及び有機酸のアニオンの勾配分離を行うことによって測定するのが好ましい。
【０１０５】
本発明の最終組成物には、二酸化塩素又は亜塩素酸が低濃度しか含まれていないか、二酸化塩素又は亜塩素酸が本質的に含まれていない（すなわち、二酸化塩素又は亜塩素酸が約２ｐｐｍ未満、好ましくは約１ｐｐｍ未満である）のが好ましい。
【０１０６】
２成分組成物では、二酸化塩素又は亜塩素酸の濃度は、２つの構成成分が混合されてから約２〜３分以内に測定する。
【０１０７】
最終組成物のｐＨは一般的に、７よりも大きく、好ましくは７．５よりも大きく、より好ましくは８〜１２であり、更に好ましくはｐＨが９〜１０である。
【０１０８】
官能特性の向上
向上した官能特性が備わっている歯磨剤の例は、例えば、全体を参照により本明細書に組み込む米国特許第５，８２０，８５４号に記載されている。これらの歯磨剤は、単一の構成成分として、又は２成分組成物として提供及び送出されてもよい。
【０１０９】
例えば約１，０００μｍｈｏ〜約５０，０００μｍｈｏの高いイオン強度を有する歯磨剤の感応特性は、ポリオキシエチレンを添加することによって感度を向上させることができる。この歯磨剤は、泡量の増加、泡粘度の増大、及び滑らかな歯の感触をもたらす。２成分歯磨剤では、ポリオキシエチレンは、高イオン強度の歯磨剤成分と並んで分配される第２の歯磨剤成分中に存在してもよい。あるいは、ポリオキシエチレンを、高イオン強度の歯磨剤成分中に含み、送出器具によって分配される第２の流れは、異なる構成成分、例えば口内洗浄剤又は別のタイプの歯磨剤にしてもよい。ポリオキシエチレンの分子量は、約１００，０００〜約１０，０００，０００、又は約２００，０００〜約７，０００，０００であってもよい。
【０１１０】
いくつかの実施形態では、２成分歯磨剤は、イオン強度が約１，０００μｍｈｏ〜約５０，０００μｍｈｏであり、かつ分子量が約１００，０００〜約１０，０００，０００、又は約２００，０００〜約７，０００，０００であるポリオキシエチレンが約０．１％〜約８％と、１つ以上の水性キャリアが約９２％〜約９９．５％含まれている第１の歯磨剤成分と、第２の歯磨剤成分とが含まれている。代替実施形態では、歯磨剤には、イオン強度が約１，０００μｍｈｏ〜約５０，０００μｍｈｏである第１の歯磨剤成分、及び分子量が約１００，０００〜約１０，０００，０００、又は約２００，０００〜約７，０００，０００であるポリオキシエチレンが約０．１％〜約８％と、１つ以上の水性キャリアが約９２％〜約９９．９％含まれている第２の歯磨剤成分が含まれている。
【０１１１】
好適なポリオキシエチレンの例としては、約１００，０００〜約１０，０００，０００、又は約２００，０００〜約７，０００，０００の分子量を有するものが挙げられる。好ましくは、分子量は、約６００，０００〜約２，０００，０００、より好ましくは約８００，０００〜１，０００，０００となる。「ポリオックス（Polyox）」は、ユニオンカーバイド（Union Carbide）製の高分子量ポリオキシエチレンの商標名である。ポリオキシエチレンは、一般的に歯磨剤成分の約０．１重量％〜約８重量％、好ましくは約０．２重量％〜約５重量％、更に好ましくは約０．３重量％〜約２重量％の量で存在している。
【０１１２】
歯磨剤の高イオン強度は、歯磨剤がイオン特性を有する成分を含有する場合に発生する。イオン特性を有する成分のうち、広く用いられているものとしては、塩及び界面活性剤などの物質が挙げられる。塩分濃度が高く、及び／又は界面活性剤濃度が高い歯磨剤は、イオン強度が高い。歯磨剤のイオン強度は、希釈スラリーの伝導度によって測定される。スラリーは、水と歯磨剤が３：１のスラリーである。好ましくは、歯磨剤は、約５，０００μｍｈｏ〜約４０，０００μｍｈｏ、より好ましくは約１０，０００μｍｈｏ〜約２５，０００μｍｈｏのイオン強度を有する。イオン強度の高い歯磨剤の総塩分濃度は、一般的には約４％〜約７０％、好ましくは約６％〜約６０％、更に好ましくは約８％〜約５０％である。
【０１１３】
再石灰化
再石灰化特性のある２成分口腔ケア組成物の例は、例えば、米国特許第４，０８３，９５５号（参照することによりその全体が本明細書に組み込まれる）に記載されている。
【０１１４】
表層下エナメル質は、反応して所望の再石灰化沈殿物を形成させるイオンを発生させる特定の可溶性塩を順次適用することによって、再石灰化されることができる。食塩水（カルシウム及びリン酸塩溶液など）をエナメル質に順次適用して、再石灰化をもたらすことができる。
【０１１５】
所望の沈殿物によって歯のエナメル質の表層下を再石灰化することは、所望の沈殿物のカチオン源として作用することのできる水溶性化合物が含まれている第１の構成成分と、所望の沈殿物のアニオン源として作用することのできる水溶性化合物が含まれている第２の構成成分とを用いるプロセスによって実現させることができる。このプロセスは、（１）上記の構成成分の１つを歯の表面に適用する工程と、（２）他の構成成分を歯の表面に適用する工程とを含み、それによって、他方の構成成分の所望のイオンが脱灰した表層下まで拡散し、第１の構成成分のイオンと所望の沈殿物を形成し、結果として脱灰化した表層下の再石灰化がもたらされる。工程（１）の持続時間は、所望のイオンが脱灰化した表層下まで拡散できるように選択されてもよい。
【０１１６】
例えば、第１の工程では、可溶性塩の反応溶液を含む構成成分が、脱灰化した表層下に最も近い歯の表面と接触するように配置される。この第１の反応溶液中には、歯の表面を通して、その脱灰化した表層下まで拡散する特定のカチオンがある。第２の工程では、第２の構成成分（特定のアニオンを含有する反応溶液を含む）が、脱灰化した表層下に最も近い歯の表面と接触するように配置される。このアニオンは、歯の表面を通して、脱灰化した表層下まで拡散し、表層下で、事前に堆積されたカチオンと接触し、歯牙構造に結合される沈殿物を形成する。この結果、歯の表層下が再石灰化される。
【０１１７】
カチオン溶液とアニオン溶液の濃度は０．００５〜１０％、すなわち塩の溶解限度にしてもよく、約０．０５〜約５％が好ましい。所望に応じて、過剰な塩が存在することができる。カチオン溶液中で１つ以上のカチオンを用いてもよい。各工程では、歯の脱灰化した表層下中への拡散を促すために、過剰の反応物質が求められるため、カチオン溶液とアニオン溶液の濃度は同等にする必要はない。同様に、アニオン溶液中で２つ以上のアニオンを用いてもよい。順次適用をわずか８回行った後、「白斑」に対して目に見える効果が現れ、数回の順次適用を採用すると最も有益な成果が得られると考えられる。
【０１１８】
エナメル質の再石灰化をもたらすために、口腔内で所望のカチオン及びアニオンを治療量用いてもよい。口内に置かれる溶液の量は、一般に、少なくとも約０．００１ｇの所望のカチオンと、約０．００１ｇの所望のアニオンとを含むべきであり、好ましくは、約０．１ｇ超過の所望のカチオンと約０．１ｇ超過の所望のアニオン、及び／又は約１０ｇ未満の所望のカチオン／アニオン、及び／又は約５ｇ未満の所望のカチオン／アニオン、又は約２ｇ未満の所望のカチオン／アニオンを含む。
【０１１９】
食塩水と歯の表面との接触時間の長さは重要ではないが、この時間の長さは、イオンが歯の表面を通して脱灰化した表層下まで拡散できるほど十分な長さである必要がある。この拡散には、少なくとも１０秒間が必要であると考えられる。
【０１２０】
各溶液のｐＨは、沈殿反応の前後に約３〜約１０でなければならず、さもなければ、各溶液は口腔環境内での相溶性がなければならない。イオンは、早期に溶液内で組み合わされて沈殿物が形成されてはならないが、歯の表面を通して、脱灰化した表層下領域まで拡散可能であり、もう一方の溶液のイオンと不溶性の塩を形成可能でなければならない。溶液及び不溶性沈殿物は無色であり、当然ながら（or course）、毒性度は容認可能なレベルであるのが好ましい（すなわち、特定のイオンは、再石灰化プロセスで用いる量では、無害でなければならない）。
【０１２１】
再石灰化では多様な沈殿物を用いてもよいが、元のエナメル質よりも溶解度の低い沈殿物を堆積させることによって、元のエナメル質よりも脱灰に対する耐性の高い再石灰化表層を生成することができる。重金属イオン又はフッ化物イオンのいずれかの存在の下で再石灰化を行う場合、再石灰化されたエナメル質は、元のエナメル質よりも脱灰に対する耐性が高い。両方のイオンが存在している場合は、再石灰化されたエナメル質の脱灰に対する耐性は更に高い。重金属イオン及びフッ化物イオンを溶液中にそれぞれ含有する塩の濃度は、約０．００５〜約１０％、例えば、約０．００５〜約０．１％であってもよい。
【０１２２】
好適な重金属イオンの例は、アルミニウム、マンガン、スズ、亜鉛、インジウム、並びにランタン及びセリウムなどの希土類金属である。
【０１２３】
特定の実施態様では、再石灰化カチオン溶液には、カルシウムイオンを生成する可溶性カルシウム塩が約０．００５〜約１０％、好ましくは約１％、及びインジウムイオンを生成する可溶性インジウム塩が約０．００５〜約１０％、好ましくは約０．００５〜０．１％含まれている。再石灰化アニオン溶液には、リン酸イオンを生成する可溶性リン酸塩が約０．００５〜約１０％、好ましくは約１％、及びフッ化物イオンを生成する可溶性フッ化物塩が約０．００５〜約１０％、好ましくは約０．００５〜約０．１％含まれている。得られる沈殿物は、インジウムイオン及びフッ化物イオンが組み込まれているリン酸カルシウム又は水酸リン灰石（歯のエナメル質の天然成分）である。このプロセスは、再石灰化されたエナメル質をもたらすだけではなく、再石灰化されたエナメル質は、続く脱灰に対する耐性が元のエナメル質よりも高くなる。
【０１２４】
適切な可溶性フッ化物塩及びインジウム塩としては、フッ化ナトリウム、フッ化亜鉛、フッ化ベタイン、フッ化第１スズアラニン、フッ化ヘキシルアミン、塩化インジウム、硫酸インジウム、及び硝酸インジウムが挙げられるが、これらに限定されない。
【０１２５】
望ましい不溶性沈殿物をもたらすアニオンとしては、リン酸塩、８〜１８個の炭素原子を有する脂肪酸基、フッ化物、フルオロリン酸塩、フッ化シリカ、硫酸塩、酒石酸塩、ソルビン酸塩、６〜１８個の炭素原子を有するスルホン酸アルキル、炭酸塩などが挙げられる。これらのアニオンの混合物が望ましい。
【０１２６】
望ましい不溶性沈殿物をもたらすカチオンとしては、上述した重金属イオン、並びにカルシウム及びマグネシウムが挙げられる。これらのカチオンの混合物が望ましい。
【０１２７】
不溶性の再石灰化沈殿物を形成するこれらのカチオン及びアニオンは、対応する可溶性塩の溶液から得ることができる。本発明で用いられるカチオンの適切な可溶性塩としては、ハロゲン化物、例えば、所望のカチオンの塩化物、硝酸塩、硫酸塩、酢酸塩、及びグルコン酸塩が挙げられる。同様に、本発明のアニオンの適切な可溶性塩としては、アルカリ金属塩（例えばナトリウム及びカリウム）、アンモニウム塩、及び低分子量の置換アンモニウム塩が挙げられる。低分子量置換アンモニウム塩の例は、アンモニウムイオン上の水素原子の１つ以上が１〜３個の炭素原子、アルキル若しくはヒドロキシアルキル基（例えばメチル、エチル、プロピル、ヒドロキシエチル、２−ヒドロキシプロピル、又は３−ヒドロキシプロピル）で置換されているもの、例えば、モノ−、ジ−、若しくはトリエタノールアンモニウム塩、又はモノ−、ジ−、若しくはトリエチルアンモニウム塩である。
【０１２８】
歯のエナメル質を再石灰化することのできる多種多様なカチオンとアニオンを組み合わせて、多種多様な沈殿物を形成する。最も好ましい沈殿物は、少量のインジウムとフッ化物とが中に組み込まれているリン酸カルシウム化合物である。以下の沈殿物は、望ましい再石灰化沈殿物のみならず、当然のことながら、沈殿物を形成するために必要なカチオンとアニオンも明らかにする。当業者であれば、これらの沈殿物の一部は、まず原料沈殿物を形成させてから、更に反応させて上記沈殿物を形成させることによって、形成できることが分かるであろう。例えば、まず水酸化物を形成してから、更に反応させて、対応する酸化物を形成することができる。
【０１２９】
好ましい沈殿物は、リン酸カルシウム、ＺｎＮＨ４ＰＯ４、ＩｎＰＯ４、希土類リン酸塩（酸ランタン、リン酸セリウム、及びリン酸サマリウムなど）、希土類フッ化物（フッ化ランタン、フッ化セリウム、フッ化プラセオジム、フッ化ネオジム、及びフッ化サマリウムなど）、マグネシウムアルキルスルホネート（アルキル基が１０〜２２個の炭素原子を有する）、ステアリン酸マグネシウム、ステアリン酸カルシウム、ステアリン酸亜鉛、並びに、リン酸アルミニウムである。
【０１３０】
沈殿物の構成成分は、１つの構成成分、例えばうがい薬及び練り歯磨きをそれぞれ含む２つの別個の送出賦形剤を用いて、実質的に歯の表面まで送出することができる。例えば、沈殿物の構成成分は、本明細書に記載の口腔ケア器具を用いて送出することができる。
【０１３１】
歯の感度減少
歯の感度を減少させることのできる２成分口腔ケア組成物の例は、例えば、全体参照により本明細書に組み込む米国特許第６，９５３，８１７号に記載されている。
【０１３２】
減感性歯磨剤組成物を調合して、象牙質知覚過敏に伴う不快感と痛みを排除又は軽減する。このような組成物としては、カリウム塩減感剤が含まれている減感性歯科用２成分組成物が挙げられる。
【０１３３】
歯科用組成物は、少なくとも約９．０、好ましくは約９．０〜１２．０のアルカリ性のｐＨを維持するように緩衝された第１の構成成分と、リン酸塩緩衝成分によって６．５〜７．５のｐＨで維持された第２の構成成分との、２つの半固体水性構成成分を含むことができる。構成成分の少なくとも１つは、フッ化物イオン放出性塩とカリウム放出性塩化合物とを口腔的に受容できる賦形剤の形で含み、化合物から約２５００〜８８００百万分率（ｐｐｍ）のフッ化物を放出するのに十分な濃度でフッ化物化合物が存在する。構成成分を混合し組み合わせると、ｐＨが約６．５〜約７．０である組成物が形成される。この混合物を歯に繰り返し適用すると、ユーザーは、象牙質知覚過敏の減少度が増すのを経験する。
【０１３４】
この２つの構成成分は、ほぼ均等な重量比で組み合わされるのが好ましく、そのため構成成分が組み合わされてブラッシングなどによって歯に適用される時に、どちらの構成成分中の特定任意の成分も約２分の１の濃度になる。いずれの構成成分も、同様の物理的特性を有するように調合して、２つの構成成分を同時に所望の所定量で送出できるようにするのが好ましい。
【０１３５】
ｐＨが実質的に中性である歯磨剤成分を調製するには、緩衝剤を組み込むが、この緩衝剤は通常、水、保湿剤、界面活性剤、及び研磨剤が含まれている賦形剤を用いて調製される。緩衝剤は、第１及び第２リン酸ナトリウム塩の混合物であるのが好ましく、歯磨剤成分中に、該構成成分の約５〜約１０重量％、好ましくは約６〜約１０重量％の濃度で組み入れられる。
【０１３６】
ｐＨがアルカリ性である歯磨剤成分は、ｐＨが中性の緩衝成分のものと同様の組成を有する賦形剤を用いて調製する。アルカリ化剤、例えば、水酸化ナトリウム、水酸化カリウム、重炭酸ナトリウム、炭酸ナトリウム、Ｎ−ケイ酸ナトリウム（ＰＱ社（PQ Corporation）から入手可能な重量比３．２２のケイ酸ナトリウム（水分３４．６％））などのアルカリ金属化合物は、アルカリ性成分中に、組成物の約０．５〜約１５重量％、好ましくは約１．０〜約８重量％、最も好ましくは約１．０〜約５．０重量％の範囲の量で組み入れられる。上記のアルカリ金属化合物の混合物を用いることもできる。
【０１３７】
フッ化物イオン放出性塩は、水中にフッ化物イオンを放出できることを特徴とする。約１０００〜約９０００ｐｐｍのフッ化物イオン、好ましくは約２５００〜約８８００ｐｐｍのフッ化物イオンをもたらす水溶性フッ化物塩を用いるのが好ましい。フッ化物イオン放出性塩の適切な例としては、水溶性無機金属塩、例えば、フッ化ナトリウム、フッ化カリウム、モノフルオロリン酸ナトリウム、フッ化第１スズ、及びフルオロケイ酸ナトリウムが挙げられる。フッ化ナトリウム、モノフルオロリン酸ナトリウム、及びフッ化第１スズが好ましいフッ化物イオン放出性塩である。
【０１３８】
減感性カリウムイオン源は一般に、硝酸カリウム、クエン酸カリウム、塩化カリウム、重炭酸カリウム、及びシュウ酸カリウムなどの水溶性カリウム塩であり、硝酸カリウムが好ましい。カリウム塩は一般に、１つ以上の歯磨剤成分中に、約１〜約２０重量％、好ましくは約３〜約１０重量％の濃度で組み入れられる。
【０１３９】
歯肉疾患の予防
歯肉疾患を予防する２成分口腔ケア組成物の例は、例えば、全体を参照により本明細書に組み込む米国特許第５，２８１，４１０号、米国特許第５，１４５，６６６号、米国特許第４，８４９，２１３号、米国特許第４，５２８，１８０号、及び米国特許第５，６３２，９７２号に記載されている。
【０１４０】
いくつかの口腔ケア組成物は、歯垢及び歯肉炎を軽減させることができるが、それと同時に、顕著な着色を発生させない。着色は、ピロリン酸イオンと第１スズ化合物とが含まれている２成分組成物を用いることによって、例えば、１つの構成成分中でフッ化第１スズと別の第１スズ化合物を、別の構成成分中でピロリン酸イオンを用いることによって軽減させることができる。一般的に、両構成成分に製薬上許容できるキャリアが含まれている。
【０１４１】
フッ化第１スズは、第１スズ成分の第１の必須成分である。この物質は、約０．０５％〜約１．１％、好ましくは約０．４％〜約０．９５％のレベルでスズ組成物の形で存在する。別個の可溶性のフッ化スズ及びフッ化物塩は、フッ化スズを原位置で形成し、かつ塩を直接添加するために使用されてもよい。原位置でフッ化第１スズを形成させるのに適した塩としては、数ある中でも、塩化第１スズ及びフッ化ナトリウムが挙げられる。
【０１４２】
第２の第１スズ化合物は一般に、第１スズ成分中に含まれている。第２の第１スズ化合物は、αヒドロキシ酸、フィチン酸、ＥＤＴＡ、グリシン、及びこれらの混合物の第１スズ塩である。いくつかの実施形態では、第２の第１スズ化合物はグルコン酸第１スズである。これらの物質は、既知の第１スズキレートであり、キレートとして、又はフッ化第１スズなどによって原位置で形成された別個の可溶性第１スズ塩及びキレートとして、本発明の組成物に提供されてもよい。適切なαヒドロキシ酸としては、グルコン酸、クエン酸、リンゴ酸、酒石酸、及び乳酸が挙げられる。このような塩としては、塩化第１スズ及びフッ化第１スズが挙げられる。第２の第１スズ化合物は一般に、本発明の構成成分中に、約０．１％〜約１１％、好ましくは約２％〜４％の濃度で存在する。
【０１４３】
第２の構成成分は、有効量のピロリン酸イオンが含まれているか、又はピロリン酸イオンをもたらすことのできる構成成分である。ピロリン酸イオンは、例えば、ピロリン酸、又はいずれかの易水溶性ピロリン酸塩であることができる。このような塩には、アルカリ金属塩（ナトリウム、カリウム、及びリチウムなど）のいずれかが挙げられ、更にアンモニウムも挙げられる。
【０１４４】
ピロリン酸イオンの量は、一般的に約１％〜約１５％、好ましくは約１％〜約１０％、最も好ましくは約３％〜約７％の任意の有効量である。
【０１４５】
いくつかの実施形態では、これらの構成成分は、安全かつ有効な量で口腔に適用することができる。練り歯磨き又はうがい薬の場合、これらの量（例えば約０．３〜約１５ｇ）を約１５〜約６０秒間、口内に保持する。これらの構成成分はどの順番でも用いることができるが、第１スズ成分を最初に用いるのが好ましい。
【０１４６】
いくつかの実施形態では、別々に貯蔵されているが実質的に同時に分配されるペーストで、重炭酸ナトリウム、食卓塩（又は別の適切な塩）、並びに好ましくは追加の洗浄剤、抗う蝕剤、及び研磨剤が含まれているペーストに加えて、有効濃度の香味物質と組み合わせて用いるために、無毒性ゲル中に過酸化水素又は過酸化尿素が溶解している。
【０１４７】
制御された量のゲル及びペーストは、歯ブラシの上に同時に放出され、すぐに歯及び歯肉に適用することができる。したがって、送出される過酸化物、塩、及びＮａＨＣＯ３の量の制御は、各チューブ（又はポンプ区画）のオリフィスの開口部と活性成分の濃度とを指定することによって実現することができる。ブラシを歯と歯肉に当てると、製品が即座に混合し、続いて、活性酸素と二酸化炭素が短時間で発生する。同時に、活性酸素の放出に伴う発泡により、重炭酸塩ペーストに含まれている香味が活性化しかつ口内で持続的な強い清涼味質が生成されるが、この清涼味質は、既存の練り歯磨き又はゲルのもたらすどの香味とも異なっている。
【０１４８】
化酸化水素ゲルは、約１．０〜１０．０％。好ましくは約３．０〜６．５％のＨ２Ｏ２、約０．０５〜１．２０％、好ましくは約０．３〜０．８％のアクリル酸コポリマー、約０．１〜１．５％、好ましくは約０．３〜０．８％の非イオン性セルロースガム、ゲルのｐＨを約３．０〜６．０まで上昇させるのに十分な量の中和剤（トリエタノールアミン、ジイソプロパノールアミン、ＮａＯＨ、ＫＯＨ）を含有してもよい。残部は精製水（蒸留水又は脱イオン化水）である。
【０１４９】
重炭酸ナトリウムペーストは、重炭酸ナトリウム、塩化ナトリウム、精製水（蒸留水又は脱イオン水）、及び増粘剤／安定剤（セルロースガム及びケイ酸アルミニウムマグネシウム）を必須成分として含有している。主に重炭酸塩のもたらす「チョークのような」味質を分散させる目的で、粘度付与剤（ソルビトール、グリセリン、又はグリコールなど）を加える。更に、ペーストが、ゲルと組み合わされて練り歯磨きを完全に置き換えることになる場合、洗浄剤（硫酸カルシウム、リン酸カルシウム、及び水和酸化アルミニウムなど）、並びにラウリル硫酸ナトリウムなどの発泡剤（過酸化物−重炭酸塩−塩の作用も強化する）を添加してもよい。
【０１５０】
重炭酸塩の構成成分及び量は、約１０〜５０％、好ましくは２０〜４０％の重炭酸ナトリウム、約５〜３０％、好ましくは約１５〜２５％のポリオール、約１〜３％、好ましくは１．２〜１．８％のセルロースガム、約１〜６％、好ましくは約２〜４％の塩化ナトリウム、約１〜４０％、好ましくは約１．５〜３０％の研磨剤／クレンザー、約０．１〜２．５％、好ましくは約０．２〜０．５％の発泡剤、約１％未満の味覚添加用の香味剤（１つ又は複数）、約０．１〜０．５％の防腐剤である。残部は精製水である。このペーストとゲルは、実質的に均等な体積比で用いられるのが好ましい。
【０１５１】
いくつかの実施形態では、亜鉛塩が製薬上許容できるキャリア中に約０．１〜約１０重量％含まれている第１の構成成分と、重炭酸塩が製薬上許容できるキャリア中に約１〜約８０重量％が含まれている第２の構成成分を口腔に送出させ、第１及び第２の組成物の組み合わせを口内で、歯肉及び歯周組織に接触するように激しく動かすか、又は第１及び第２の構成成分を組み合わせると同時に、歯を取り囲んでいる歯肉及び歯周表面をブラッシングすることによって、歯肉出血を抑制し、歯肉及び歯周組織の質感と稠度を向上させることができる。
【０１５２】
好ましい実施形態では、第１の構成成分は過酸素化合物を含むこともできる。別の実施形態では、過酸素化合物の代わりにアスコルビン酸又はクエン酸が用いられる。
【０１５３】
亜鉛塩と重炭酸塩というこの組み合わせは、歯肉及び歯周組織の損傷に対して非常に強力な抑制効果をもたらすことができる。このような効果のためには、口腔へ導入されるまで、亜鉛塩と重炭酸塩を別々に包装する必要がある。例えば、本明細書に記載の口腔ケア器具内。
【０１５４】
第１の構成成分には、亜鉛イオンを送出できる塩が含まれている。「亜鉛イオン」という用語は、固体又は非解離状態である亜鉛化合物の分子の亜鉛原子部分が、とりわけ水媒体中に分散している場合に、単純又は錯亜鉛イオンに解離可能であることを意味する。用いてもよい化合物の例は、ホウ酸塩、臭化物、炭酸塩、ヘキソフルオロケイ酸塩、ピロリン酸塩、ケイ酸塩、硫酸塩、及びチタン酸塩といった無機イオンの亜鉛塩である。有機アニオンは、カルボン酸塩、スルホン酸塩、硫酸塩、及びリン酸塩から選択された荷電基とともに２〜２２個の炭素原子を有するものである。具体例としては、酢酸塩、安息香酸塩、クエン酸塩、グリシン酸塩、乳酸塩、フェノールスルホン酸塩、サリチル酸塩、酒石酸塩、アセチルアセトン酸塩、マレイン酸塩、コハク酸塩、アスコルビン酸塩、及びグルコン酸塩が挙げられるが、これらに限定されない。
【０１５５】
亜鉛塩は一般に、口腔ケア組成物中に、約０．０５〜約１０重量％、好ましくは約０．２〜５重量％、最適には約０．８〜３重量％の量で存在する。
【０１５６】
第１の構成成分はゲルであってもよく、第２の組成物は、不透明なペーストの形態であってもよい。ゲルには、過酸素化合物、例えば過酸化水素、過酸化尿素、過酸化カルシウム、並びに過ホウ酸塩、過ケイ酸塩、過リン酸塩、及び過炭酸塩の塩が含まれる。過酸素化合物の量は、約０．１〜約１０重量％の範囲であってもよい。活性重量の過酸化水素に関しては、量は、約０．５〜約５重量％、好ましくは約０．８〜約４重量％、最適には約１〜３重量％の範囲である。
【０１５７】
過酸素化合物の代わりに、第１の構成成分は、Ｃ２〜Ｃ２０のカルボン酸を含有してもよい。実例的な酸としては、クエン酸、リンゴ酸、乳酸、及びアスコルビン酸が挙げられる。この酸の濃度は、過酸素化合物と同様の量、すなわち、約０．１〜約１０重量％の範囲であってもよい。クエン酸が最も好ましい。これらの酸は、存在する場合、液体、ゲル、又はペーストタイプの組成物のいずれかである。
【０１５８】
有利には、第１の構成成分のｐＨは、約３．２〜５．０、好ましくは４．０〜４．５に保たれる。
【０１５９】
重炭酸塩が含まれている第２の構成成分は、第１の組成物に関して上述したものと本質的に同量で、同じフッ化物化合物から選択された抗う蝕フッ化物化合物を含有してもよい。とりわけ好ましいのはフッ化ナトリウムである。重炭酸塩は、アルカリ金属の形態、例えばナトリウム及びカリウムの形態で存在する。典型的には、重炭酸塩の濃度は、約０．５〜約８０重量％、好ましくは約５〜約５０重量％、最適には約８〜約２０重量％である。重炭酸塩組成物のｐＨは、約７．０〜約９．５、最も好ましくは約８．０〜９．０であってもよい。重炭酸塩組成物が練り歯磨き又はゲルの形態であるとき、典型的には、天然若しくは合成の増粘剤が、約０．１〜１０重量％、好ましくは約０．５〜５重量％の量で含まれる。
【０１６０】
第１の組成物と第２の組成物との相対的重量は、約１：２〜２：１、好ましくは約１：１である。
【０１６１】
歯磨剤組成物及び構成成分
歯磨剤として調合される口腔ケア組成物及び構成成分は一般に、結合剤、キャリア、及び活性成分を含む。場合によっては、歯磨剤は、界面活性剤及び／又は洗剤、増粘剤、研磨剤、キャリア、保湿剤、塩などのうちの１つ以上を含有してもよい。適切な歯磨剤成分の例は後掲する。
【０１６２】
結合剤
結合剤系は一般に、口腔ケア組成物のレオロジー特性を決定する主要因子である。結合剤は、口腔ケア成分の固相を懸濁状態に維持させ、その結果、口腔ケア成分の固相部分が液相部分から分離するのを防ぐ役割も果たす。更に、結合剤は、口腔ケア組成物に濃さ（body）又は粘り（thickness）を与えることもできる。ゆえに、場合によっては、結合剤は、及び、口腔ケア組成物に増粘作用を与えることもできる。
【０１６３】
結合剤の例としては、カルボキシメチルセルロースナトリウム、セルロースエーテル、キサンタンガム、カラギーナン、アルギン酸ナトリウム、カーボポール、又は含水リチウムマグネシウムケイ酸ナトリウムなどのケイ酸塩が挙げられる。適した結合剤の他の例としては、ヒドロキシプロピルメチルセルロース、ヒドロキシエチルセルロース、グアーガム、トラガカントガム、カラヤガム、アラビアガム、アイリッシュモス、デンプン、及びアルギネートなど、ポリマーが挙げられる。あるいは、結合剤には、粘土、例えば、ヘクトライトなどの合成粘土又は天然粘土を挙げることができる。結合剤の各々は、単独で、又は他の結合剤と組み合わせて使用することができる。
【０１６４】
界面活性剤／洗剤
場合によっては、歯磨剤に、１つ以上の界面活性剤又は洗剤を含有させて、望ましい発泡特性をもたらすことができる。
【０１６５】
界面活性剤には、一般に、陰イオン性、非イオン性、陽イオン性、双イオン性、又は両性の組成物が含まれる。界面活性剤の例としては、石鹸、硫酸塩（例えば、ラウリル硫酸ナトリウム及びドデシルベンゼンスルホン酸ナトリウム）、ラウリルサルコシン酸ナトリウム、脂肪酸のソルビタンエステル、スルホベタイン（例えば、コカミドプロピルベタイン（cocamidopropylbatine））、並びにＤ−グルコピラノシドＣ１０〜１６アルキルオリゴマーが挙げられる。いくつかの実施形態では、界面活性剤として、ラウリル硫酸ナトリウム、コカミドプロピルベタイン、及びＣ１０〜Ｃ１６アルキル−Ｄ−グルコピラノシドオリゴマー（D-glucopyranoside C10-C16 alkyl oligomeric）が挙げられる。一般に、界面活性剤は、約０．２〜約８重量％（例えば、約１〜約５重量％又は約１．５〜約３．５重量％）の量で存在する。
【０１６６】
増粘剤
増粘剤の例としては、増粘シリカ、ポリマー、粘土、及びこれらの組み合わせが挙げられる。約４重量％〜約８重量％（例えば約６重量％）の量の増粘シリカ、例えば水和シリカＳＩＬＯＤＥＮＴ  １５は、望ましい口内特性をもたらす。本明細書に記載されている「口内特性」という表現は、歯磨剤がユーザーの口内で発泡する際の歯磨剤の粘り（body）又は濃さ（thickness）に関するものである。
【０１６７】
研磨剤
研磨剤の例としては、炭酸塩（例えば、重炭酸ナトリウム、炭酸カルシウム）、水−コロイダルシリカ、沈殿シリカ（例えば、水和シリカ）、アルミノケイ酸ナトリウム、アルミナが含まれているシリカグレード、水和アルミナ、リン酸２カルシウム、不溶性メタリン酸ナトリウム、及びマグネシウム（例えば、リン酸３マグネシウム）などの研磨剤が挙げられる。研磨剤の適切な量は、優れた研磨及び洗浄作用を安全にもたらす量であり、別の成分と組み合わせた場合に、滑らかで流動性があり、粒状感の強過ぎない組成物をもたらす量である。一般に、研磨剤が含まれる場合には、研磨剤は、約５重量％〜約５０重量％（例えば、約５重量％〜約３５重量％、又は約７重量％〜約２５重量％）の量で存在する。
【０１６８】
キャリア
キャリアの例としては、水、ポリエチレングリコール、グリセリン、ポリプロピレングリコール、デンプン、スクロース、アルコール（例えば、メタノール、エタノール、イソプロパノールなど）又は、それらの組み合わせが挙げられる。組み合わせの例としては、水とアルコールとの様々な組み合わせ、及びポリエチレングリコールとポリプロピレングリコールとの様々な組み合わせが挙げられる。一般に、含まれるキャリアの量は、溶解した塩、界面活性剤、及び分散した相の量とともに、結合剤系の濃度に応じて決まる。
【０１６９】
保湿剤
一般に、湿潤剤は、ポリオールである。湿潤剤の例としては、グリセリン、ソルビトール、プロピレングリコール、キシリトール、ラクチトール、ポリプロピレングリコール、ポリエチレングリコール、水素添加コーンシロップ及びそれらの混合物が挙げられる。一般に、保湿剤が含まれる場合、保湿剤は約１０重量％〜約６０重量％の量で存在することができる。
【０１７０】
緩衝剤及び／又は塩
緩衝剤及び塩の例としては、第一級、第二級、又は第三級アルカリ金属リン酸塩、クエン酸、クエン酸ナトリウム、サッカリンナトリウム、ピロリン酸四ナトリウム、水酸化ナトリウム及び同種のものが挙げられる。
【０１７１】
活性成分
歯磨剤は、例えば、虫歯を予防したり、歯を白くしたり、息を清涼化したり、経口薬を供給したり、上述したもののようなその他の治療及び美容効果をもたらす目的で、活性成分を含んでもよい。活性成分の例としては以下が挙げられる：抗カリエス剤（例えば、水溶性のフッ化塩、フルオロケイ酸塩、フルオロジルコニウム酸塩、フルオロスタンナイト（fluorostannites）、フルオロホウ酸塩、フルオロチタン酸塩、フルオロゲルマン酸塩（fluorogermanates）、混合ハロゲン化物及びカジン（casine））、抗タータ剤（anti-tarter agents）、抗歯石剤（anti-calculus agents）（例えば、アルカリ金属ピロリン酸塩、次亜リン酸塩含有ポリマー、有機ホスホクエン酸塩（organic phosphocitrates）、ホスホクエン酸塩（phosphocitrates）、ポリリン酸塩）、抗菌剤（例えば、バクテリオシン、抗体、酵素）、抗菌性向上剤、抗微生物剤（例えば、トリクロサン、クロルヘキシジン、クエン酸亜鉛、硫酸亜鉛、グリシン酸亜鉛などの銅−、亜鉛−及びスズ塩、サンギナリン抽出物、メトロニダゾール、塩化セチルピリジニウムなどの第四級アンモニウム化合物、ジグルコン酸クロルヘキシジン、ヘキセチジン、オクテニジン、アレキシジンなどのビス−グアニド及び、２，２’メチレンビス−（４−クロロ−６−ブロモフェノール））などのハロゲン化ビスフェノール化合物、減感剤（例えば、クエン酸カリウム、塩化カリウム、酒石酸カリウム、重炭酸カリウム、シュウ酸カリウム、硝酸カリウム及びストロンチウム塩）、ホワイトニング剤（例えば、ペルオキシ化合物などの漂白剤、例えば、ペルオキソ二リン酸カリウム（potassium peroxydiphosphate））、抗歯垢剤、歯肉保護剤（例えば、ヒマワリ油、菜種油、大豆油及びベニバナ油などの植物油、並びにシリコーン油及び炭化水素油などの他の油）。歯肉保護剤は、歯肉の透過障壁を改善可能な剤とすることができる。他の活性成分としては、創傷治癒剤（例えば、尿素、アラントイン、パンテノール、アルカリ金属チオシアン酸塩、カモミール系活性物質及びアセチルサリチル酸誘導体、イブプロフェン、フルルビプロフェン、アスピリン、インドメタシンなど）、歯緩衝剤、再石灰化剤（reminieralization agents）、抗炎症剤、抗悪臭剤、息フレッシング剤（breath freashing agents）、並びに歯肉炎又は歯周炎などの口腔状態を処置するための剤が挙げられる。
【０１７２】
その他の成分
場合によっては、歯磨剤は、発泡系（重炭酸ナトリウムクエン酸系など）、又は変色系を含んでもよい。
【０１７３】
歯磨剤はまた、フェノール系化合物（例えば、２−メチルフェノール、３−メチルフェノール、４−メチルフェノール、４−エチルフェノール、２，４−ジメチルフェノール、３，４−ジメチルフェノール、など、フェノール及びその同族体）、甘味剤（例えば、サッカリンナトリウム、シクラミン酸ナトリウム、ショ糖、乳糖、麦芽糖、及びフルクトースなど）、香味料（例えば、ペパーミント油、スペアミント油、ユーカリ油、兄シード油、ウイキョウ油、ヒメウイキョウ油、酢酸メチル、桂皮アルデヒド、アネトール、バニリン、チモール、及び他の天然若しくは天然に相当する精油、又は合成香味料）、防腐剤（例えば、ｐ−ヒドロキシ安息香酸メチル、エチル、又はプロピルエステル、ソルビン酸ナトリウム、安息香酸塩ナトリウム、ブロモクロロフェン、トリクロサン、ヘキセチジン、サリチル酸フェニル（phenyl silicylate）、ビグアニド、及びペルオキシド）、不透明化・着色剤（二酸化チタン又はＦＤ＆Ｃ染料など）、並びに、ビタミン（レチノール、トコフェロール、及びアスコルビン酸など）の１つ以上を含んでもよい。
【０１７４】
口内洗浄剤組成物及び構成成分
本明細書で論じられている組成物及び構成成分は、口内洗浄剤又はうがい薬の形態で提供されてもよい。
【０１７５】
このような口内洗浄剤及びうがい薬の成分には、典型的に、水（約４５％〜約９５％）、エタノール（約０％〜約２５％）、保湿剤（約０％〜約５０％）、界面活性剤（約０．０１％〜約７％）、香味剤（約０．０４％〜約２％）、甘味剤（約０．１％〜約３％）、及び着色剤（約０．００１％〜約０．５％）のうちの１つ以上が含まれている。このような口内洗浄剤及びうがい薬は、抗う蝕剤（フッ化物イオンとして約０．０５％〜約０．３％）、及び抗結石剤（約０．１％〜約３％）のうちの１つ以上を含んでもよい。
【０１７６】
本明細書で論じられている組成物及び構成成分は、歯科用溶液及び洗浄用流体の形態でもよい。このような歯科用溶液の成分は一般に、水（約９０％〜約９９％）、防腐剤（約０．０１％〜約０．５％）、増粘剤（０％〜約５％）、香味剤（約０．０４％〜約２％）、甘味剤（約０．１％〜約３％）、及び界面活性剤（０％〜約５％）のうちの１つ以上を含む。本発明と共に使用されてもよい洗浄剤のいくつかの例は、リビン（Libin）の米国特許第６，４４０，３９５号、アダミー（Adamy）の米国特許第６，３５５，２２９号、ローラ（Rolla）の米国特許第６，３４４，１８４号、ウィックス（Wicks）らの米国特許第６，１１７，４１７号、ジャンパニ（Jampani）らの米国特許第５，９８０，９２５号、ネルソン（Nelson）らの米国特許第５，９４８，３９０号、マクローリン（McLaughlin）らの米国特許第５，６８６，０６３号及び同第５，６８１，５４９号、シマダ（Shimada）らの米国特許第５，６２６，８３７号、スコダリ（Scodari）らの米国特許第５，５６０，９０６号、コノパの米国特許第５，４０７，６６４号及び同第５，２９２，５２７号、ホール（Hall）の米国特許第５，４０５，６０４号、ヤマギシ（Yamagishi）らの米国特許第５，３７４，４１８号及び同第５，３７０，８６５号、ガーリッヒ（Garlich）らの米国特許第５，２８６，４７９号、同第５，５２５，３３０号、同第５，２５６，３９６号、同第５，１５８，７６３号、同第４，３７０，３１４号、同第４，３３９，４３０号、同第４，２７３，７５９号、同第４，２２４，３０９号、同第４，１８８，３７２号、同第４，１３７，３０３号、同第４，１２３，５１２号、同第４，１１８，４７６号、同第４，１１８，４７５号、同第４，１１８，４７４号、同第４，１１８，４７３号、同第４，１１８，４７２号、同第４，１１０，４２９号、同第４，１０２，９９３号、同第４，１００，２７０号、同第４，０８９，８８０号、同第４，０８０，４４１号、同第４，０４２，６７９号、及び同第３，８６４，４７２号、及びＷＯ  ０３／０７５８６５（全てコルゲート・パルモーリブ（Colgate Palmolive）に譲渡）、シャボノー（Charbonneau）らの米国特許第４，９９４，２６２号、ライアン（Ryan）の米国特許第４，９５９，２０４号、同第４，６６３，１５４号、及び同第４，４７２，３７３号、シャー（Shah）の米国特許第４，３２５，９３９号、パランＪｒ．（Parran Jr.）の米国特許第４，３２３，５５１号、ＷＯ  ９６／１５７７０、ＷＯ  ９４／２７５６６、及びＷＯ  ９４／１８９３９、ＷＯ  ００／４４３８８、米国特許公開第２００６／０１７１９０７（Ａ１）号、米国特許第７，１９５，７５３号、同第７，１９２，５７３号、同第７，１５３，４９３号、米国特許第６，６９６，０４７号、米国特許第６，３６１，７６２号、米国特許第６，３５０，４３８号、米国特許第６，３４８，１８７号、米国特許第６，２６１，５４０号、米国特許第６，２５１，３７２号、米国特許第５，７０７，６１０号、米国特許第５，６８１，５４８号、米国特許第５，９４５，０８８号、米国特許第５，９４５，０８７号、米国特許第５，７２３，１０６号、米国特許第５，３３８，５３８号、米国特許第５，３３０，７４９号、米国特許第５，３１０，５４６号、米国��許第５，３０２，３７３号、米国特許第５，２３６，６９９号、米国特許第５，２２９，１０３号、米国特許第５，２５６，４０１号、米国特許第５，１７４，９９０号、米国特許第５，１０４，６４４号、米国特許第５，０８７，４４４号、米国特許第５，０４３，１８３号、米国特許第４，８９４，２２０号、米国特許第４，６８４，５１７号、並びに米国特許第４，５３７，７７８号に記載されている。
【０１７７】
同時又は順次（すなわち、第１の構成成分の次に第２の構成成分）のどちらかで、本明細書にいくつか記載してきた多種多様な器具及び／又はパッケージによって送出することができる、第１の構成成分／組成物及び第２の構成成分／組成物のいくつかの非限定例は、以下の表１に記載されている。表１の第１及び第２の構成成分は、本明細書に全体若しくは一部が記載されているレジメン、用量、工程、又は方法のいずれかを使用して送出することができ、歯磨剤、洗浄剤、ゲル、液体、又はペーストを含むがそれらに限定されない様々な形態で提供されてもよい。
【表１−１】
2010526638.tif 000003
【表１−２】
2010526638.tif 000004
【表１−３】
2010526638.tif 000005
【表１−４】
2010526638.tif 000006
【表１−５】
2010526638.tif 000007
【０１７８】
他の実施形態
以上、本発明の多くの実施形態を記載してきた。しかしながら、本発明の趣旨及び範囲を逸脱することなく様々な修正が可能であることが理解されるであろう。したがって、他の実施形態は下記の特許請求の範囲内にある。
【０１７９】
「発明を実施するための形態」で引用した全ての文献は、参照により本明細書に組み込まれるが、いかなる文献の引用も、それが本発明に対する先行技術であることを認めるものと解釈すべきではない。この文書における用語のいずれかの意味又は定義が、参考として組み込まれる文献における用語のいずれかの意味又は定義と対立する範囲については、本文書におけるその用語に与えられた意味又は定義を適用するものとする。
【図１】
2010526638.tif 000008
【図２Ａ】
2010526638.tif 000009
【図２Ｂ】
2010526638.tif 000010
【図３Ａ】
2010526638.tif 000011
【図３Ｂ】
2010526638.tif 000012
【図４Ａ】
2010526638.tif 000013
【図４Ｂ】
2010526638.tif 000014
【図５】
2010526638.tif 000015
【図６】
2010526638.tif 000016
【図７】
2010526638.tif 000017
【図８Ａ】
2010526638.tif 000018
【図８Ｂ】
2010526638.tif 000019
【図９】
2010526638.tif 000020
【図１０】
2010526638.tif 000021
【図１１】
2010526638.tif 000022
【図１２】
2010526638.tif 000023
【図１３】
2010526638.tif 000024
【図１４】
2010526638.tif 000025
【図１５】
2010526638.tif 000026
【図１６】
2010526638.tif 000027
【図１７】
2010526638.tif 000028
【国際調査報告】
2010526638.tif 000029
2010526638.tif 000030
2010526638.tif 000031